(57)【特許請求の範囲】
【請求項１】
データ信号を送信する移動局と、当該移動局が送信したデータ信号を受信する複数の基地局とを含む通信システムにおいて、
前記基地局として、
前記移動局から送信された情報ビットを符号化して生成したデータ信号を検出する第１の信号検出部を備える第１の基地局と、
前記移動局から送信された情報ビットを符号化して生成したデータ信号を前記第１の基地局が検出した検出結果を用いて、自局が受信したデータ信号の検出を行う第２の信号検出部を備える第２の基地局とを少なくとも一つずつ含み、
前記第２の信号検出部は、前記第１の基地局が検出した前記検出結果を用いて、前記第２の基地局が受信したデータ信号のうち、前記移動局が送信したデータ信号を除去して、前記移動局が送信したデータ信号以外のデータ信号を検出し、
前記データ信号以外のデータ信号を検出した結果を用いて、前記第２の基地局が受信したデータ信号のうち、前記移動局が送信したデータ信号を検出することを特徴とする通信システム。
【請求項２】
前記第２の基地局は、
前記第２の信号検出部がデータ信号を検出した検出結果に対して復号処理を行う復号部を更に備え、
前記第２の信号検出部は、前記復号処理の結果を用いて、前記移動局が送信したデータ信号の検出を行うことを特徴とする請求項１に記載の通信システム。
【請求項３】
前記第１の基地局は、前記第１の信号検出部が前記移動局が送信したデータ信号を検出した結果と、前記第２の信号検出部が前記移動局が送信したデータ信号を検出した結果とを合成する合成部を更に備えることを特徴とする請求項１に記載の通信システム。
【請求項４】
前記第２の基地局は、前記第１の信号検出部が前記移動局が送信したデータ信号を検出した結果と前記第２の信号検出部が前記移動局が送信したデータ信号を検出した結果とを合成する合成部を備え、
前記復号部は、前記合成部が出力信号に対して復号処理を行うことを特徴とする請求項２に記載の通信システム。
【請求項５】
前記移動局は、自局がデータ信号を送信するタイミングを測定するための送信タイミング測定信号を前記第１の基地局及び前記第２の基地局に送信することを特徴とする請求項１に記載の通信システム。
【請求項６】
前記第２の基地局は、
前記第１の基地局に、前記移動局が送信したデータ信号を検出した結果の送信を要求すること、を特徴とする請求項１に記載の通信システム。
【請求項７】
前記第１の基地局は、
前記第１の信号検出部が検出した結果に対して復号処理を行う復号部と、
前記復号部が復号処理した結果であって、前記移動局が送信したデータ信号に対する復号処理結果を前記第２の基地局に転送する上位レイヤと、
を更に備えることを特徴とする請求項１に記載の通信システム。
【請求項８】
データ信号を送信する移動局と、当該移動局が送信したデータ信号を受信する少なくとも第１及び第２の基地局とを含む通信システムにおける通信方法において、
前記第１の基地局に、
前記移動局から送信された情報ビットを符号化して生成したデータ信号を検出する第１のステップと、
前記第２の基地局が前記第１のステップが検出した前記検出結果を用いて、前記第２の基地局が受信したデータ信号のうち、前記移動局が送信したデータ信号を除去して、前記移動局が送信したデータ信号以外のデータ信号を検出する第２のステップと、
前記データ信号以外のデータ信号を検出した結果を用いて、前記第２の基地局が受信したデータ信号のうち、前記移動局が送信したデータ信号を検出する第３のステップとを実現するため通信方法。
【請求項９】
データ信号を送信する移動局と、前記移動局が送信したデータ信号を検出する第１の基地局と、を含む通信システムに接続される第２の基地局であって、
前記移動局から送信された情報ビットを符号化して生成したデータ信号を前記第１の基地局が検出した結果を用いて、自局が受信したデータ信号の検出を行う第２の信号検出部を備え、
前記第２の信号検出部は、前記第１の基地局が検出した前記検出結果を用いて、前記第２の基地局が受信したデータ信号のうち、前記移動局が送信したデータ信号を除去して、前記移動局が送信したデータ信号以外のデータ信号を検出し、
前記データ信号以外のデータ信号を検出した結果を用いて、前記第２の基地局が受信したデータ信号のうち、前記移動局が送信したデータ信号を検出することを特徴とする基地局。
【請求項１０】
前記第２の信号検出部がデータ信号を検出した検出結果に対して復号処理を行う復号部を更に備え、
前記第２の信号検出部は、前記復号処理の結果を用いて、前記移動局が送信したデータ信号の検出を行うことを特徴とする請求項９に記載の基地局。
【請求項１１】
前記第１の基地局が検出した前記検出結果と前記第２の信号検出部が前記移動局が送信したデータ信号を検出した結果とを合成する合成部を備え、
前記復号部は、前記合成部が出力信号に対して復号処理を行うことを特徴とする請求項１０に記載の基地局。
【請求項１２】
前記第２の信号検出部は、
前記第１の基地局が前記移動局が送信したデータ信号を検出した結果から自局が受信した移動局のデータ信号の受信信号レプリカを生成するレプリカ生成部と、
前記データ信号から前記受信信号レプリカを減算する干渉除去部と、
を更に有することを特徴とする請求項９に記載の基地局。
【請求項１３】
前記第２の信号検出部は、
前記復号部の復号処理の結果から自局が受信した移動局以外の通信装置のデータ信号の受信信号レプリカを生成するレプリカ生成部と、
前記データ信号から前記受信信号レプリカを減算する干渉除去部と、
を更に有することを特徴とする請求項１０に記載の基地局。
【発明の詳細な説明】
【技術分野】
【０００１】
本発明は、データ信号を送信する移動局と、当該移動局が送信したデータ信号を受信する複数の基地局とを含む通信システム等に関する。
【背景技術】
【０００２】
移動無線通信システムでは、基地局（ｅＮｏｄｅＢ）がカバーするエリアをセル状に複数配置するセルラー構成とすることにより、通信エリアを拡大することができる（セルラーシステムと呼ぶ。）。移動局（移動端末、ＵＥ(User Equipment)）は、通例、通信品質（伝搬路状況）の良い一つの基地局を選択し、接続することになる。
【０００３】
上りリンクにおいて、基地局は自基地局と接続することを選択した複数の移動局から送信されるデータ信号の到来時間をある所定の時間範囲に収める必要がある。例えば、ＬＴＥ(Long Term Evolution)、ＬＴＥ−ＡｄｖａｎｃｅｄのようなＯＦＤＭＡ(Orthogonal Frequency Division Multiple Access)、ＳＣ−ＦＤＭＡ(Single Carrier-Frequency Division Multiple Access)、ＤＦＴ−ｓｐｒｅａｄ  ＯＦＤＭ（Discrete Fourier Transform-spread Orthogonal Frequency Division Multiplexing）、ＤＦＴ−ｐｒｅｃｏｄｅｄ  ＯＦＤＭ（Discrete Fourier Transform-precoded Orthogonal Frequency Division Multiplexing）、を用いる移動無線通信システムでは、基地局に到来する各移動局のデータ信号の到来時間差をＣＰ(Cyclic Prefix)の長さ以内に収めることにより、到来時間差に起因するシンボル干渉、キャリア間干渉を抑えることができる。
【０００４】
ＣＰとは、ＯＦＤＭ伝送などのマルチキャリア伝送においてマルチパスフェージングの影響を避けるために有効シンボルの先頭に付加するガードインターバルであり、前記ＯＦＤＭＡおよびＳＣ−ＦＤＭＡでは、ＯＦＤＭＡシンボルおよびＳＣ−ＦＤＭＡシンボルの先頭に付加されるガードインターバルである。
【０００５】
また、これらの通信方式では、周波数方向や時間方向にリソースを分割した領域（例えば、リソースブロック）に基づいて、移動局間の多重（マルチプルアクセス）を行うことができる。そのため、上り回線では、基地局と移動局の相対位置によって、各移動局の基地局に対する伝搬距離が異なることになる。
【０００６】
図２４は、移動局１０００−１および移動局１０００−２が基地局２０００に接続することを選択し、移動局１０００−３、移動局１０００−４が基地局３０００に接続することを選択した場合の例である。ｔ１２は移動局１０００−１が送信した信号が基地局２０００に到来する時刻、ｔ２２は移動局１０００−２が送信した信号が基地局２０００に到来する時刻、ｔ３３は移動局１０００−３が送信した信号が基地局３０００に到来する時刻、ｔ４３は移動局１０００−４が送信した信号が基地局３０００に到来する時刻である。
【０００７】
移動局１０００−１及び移動局１０００−２が基地局２０００に送信するデータ信号に付加されているＣＰ長がｔｃｐの場合、基地局２０００は、各移動局に対して、｜ｔ１２−ｔ２２｜＜ｔｃｐを満たすデータ信号の送信タイミングを通知する制御信号（タイミング調整信号、Timing Advance command）を送信し、各移動局は前記送信タイミングに基づいてデータ信号を基地局２０００に送信する。
【０００８】
その場合、各移動局が送信したデータ信号が基地局２０００に同時に到達するように、各移動局の送信タイミングを制御することが好ましい。なお、｜ｘ｜はｘの絶対値を表す。
【０００９】
同様に、移動局１０００−３及び移動局１０００−４は、基地局３０００に対して｜ｔ３３−ｔ４３｜＜ｔｃｐを満たすタイミングでデータ信号を送信する。これらの送信タイミング制御は移動局毎に行い、各移動局から送信されるデータ信号を同時に基地局が受信することで、移動局間で干渉しないようにすることが可能となる。
【００１０】
なお、基地局管理部１０は、基地局２０００及び基地局３０００を管理している装置であり、有線回線網等で基地局と接続されている。例えば、基地局間で協調した通信を行うための制御やハンドオーバ制御などの機能を有する。なお、基地局２０００及び／または基地局３０００が基地局管理部１０の機能を有してもよい。
【００１１】
このようなセルラーシステムでは、隣接するセル（セクタ）間で異なる周波数を用いることでセルエッジ（セル端）領域にいる移動局が隣接セルからの干渉を受けることなく通信を行なうことができるが、周波数利用効率が低下するという課題があった。そのため、それぞれのセル（セクタ）において同一周波数を繰返し利用することで、周波数利用効率を大幅に向上させることができるが、セルエッジ領域にいる移動局に対する隣接セルからの干渉対策が必要となる。また、移動局は送信電力が制限され、セルエッジ領域にいる場合に基地局へ到達する信号電力レベルは低いため、低データレートでの通信となる。
【００１２】
そのような中で、隣接セル間で互いに協調するセル間協調通信を行なうことにより、セルエッジ領域の移動局に対する干渉を軽減または抑圧する方法、到達する信号電力レベルを補足する方法が検討されている。例えば、非特許文献１にそのような方式として、ＣｏＭＰ(Cooperative Multipoint)伝送方式などが検討されている。
【００１３】
図２５は、上り回線におけるＣｏＭＰ伝送方式として、セルエッジ領域に位置する移動局１００−１が協調通信を行なっている一例を示す図である。移動局１００−１は、基地局２００及び基地局３００とで協調通信を行う移動局である。ｔ’１２は移動局１００−１が送信した信号が基地局２００に到来する時刻、ｔ’１３は移動局１００−１が送信した信号が基地局３００に到来する時刻である。
【００１４】
なお、移動局１００−２は基地局２００のみと通信している移動局（ｔ’２２は移動局１００−２が送信した信号が基地局２００に到来する時刻）、移動局１００−３は基地局３００のみと通信している移動局（ｔ’３３は移動局１００−３が送信した信号が基地局３００に到来する時刻）である。
【００１５】
移動局１００−１は、基地局２００及び基地局３００の両方に同一のデータ信号を送信する。基地局３００は、受信した移動局１００−１のデータ信号を基地局２００に光ファイバなどの有線回線を用いて送信し（例えば、ＬＴＥにおけるＸ２インターフェース）、基地局２００は、移動局１００−１から直接受信した移動局１００−１のデータ信号と基地局３００から送信された移動局１００−１のデータ信号とを用いて、復号処理等の信号検出処理を行う。
【００１６】
これにより、移動局１００−１が送信するデータ信号は、基地局２００及び基地局３００の両方の回線状況（セル環境）を考慮したリソース割当スケジューリングおよびサイトダイバーシチ効果により、セル間干渉の低減およびデータ信号検出時における信号電力の増加でき、セルエッジ領域に位置する移動局の伝送特性を向上できる。
【００１７】
なお、複数の基地局にデータ信号を送信している移動局に対して、通信を行うための様々な制御を行う基地局をアンカー基地局と呼び、それ以外の基地局を協調基地局とよぶ。なお、アンカー基地局はＰＤＣＣＨ (Physical Downlink Control CHannel)を通じてダウンリンク制御信号（ＤＣＩ：Downlink Control Information）を送信している基地局としてもよい。
【００１８】
しかしながら、このような上りリンクのセル間協調通信において、移動局１００−１と基地局２００との間の伝搬路状況と移動局１００−１と基地局３００との間の伝搬路状況とが異なることにより、｜ｔ’１２‐ｔ’２２｜＜ｔｃｐ及び｜ｔ’１３‐ｔ’３３｜＜ｔｃｐを同時に満たせない場合が生じる。
【００１９】
例えば、移動局１００−１のデータ信号送信タイミングが移動局１００−１と基地局２００との間の伝搬路状況に基づいて設定された場合、基地局２００と接続する移動局１００−１と移動局１００−２との到来時間差はＣＰ長以下の時間範囲に収めることができる。しかし、前記送信タイミングは、移動局１００−１と基地局３００との伝搬路状況を考慮していないので、基地局３００に到来する移動局１００−１のデータ信号と移動局１００−３のデータ信号との到来時間差がＣＰ長以上となる場合がある。これにより、ＯＦＤＭ伝送では、シンボル間干渉、キャリア間干渉により特性劣化するという問題があった。さらに、ＳＣ−ＦＤＭＡ伝送では、ＦＦＴ（ＤＦＴ）の周期性の崩れに起因する特性劣化およびＦＦＴ区間の信号間の干渉（ブロック間干渉）に起因する特性劣化が生じる。
【００２０】
この問題にたいして、非特許文献２では、上り回線で協調通信を行う場合において、上記遅延に関する問題が生じないように、協調通信を想定した新しい送信タイミング制御方法と共に、さらにＣＰ長を延伸させる方法が記載されている。この方法により、前記到来時間差がＣＰ長以内に収めるようにすることで、干渉を抑圧している。
【先行技術文献】
【非特許文献】
【００２１】
【非特許文献１】3rd Generation Partnership Project; Technical Specification Group Radio Access Network; Further Advancements for E-UTRA Physical Layer Aspects (Release 9)、 3GPP TR 36.814 V1.1.1 (2009-06)、2009年6月
【非特許文献２】Huawei, “System modeling and performance evaluation for uplink CoMP considering delay spread issue,” 3GPP R1-092368, TSG RAN WG1 Meeting #57bis, Los Angeles, CA USA, June 2009.
【発明の概要】
【発明が解決しようとする課題】
【００２２】
しかしながら、非特許文献２では協調通信を行う場合に通常より長いＣＰを用いるため、ＣＰの挿入損失が増大し、伝送効率が低下してしまうといった問題点を有していた。また、ＣＰ長の切替に伴う制御信号の追加による伝送効率の低下及び制御の複雑化が生じるといった問題点も生じていた。
【００２３】
本発明はこのような事情に鑑みてなされたものであり、その目的は、上りリンクの協調通信において、通常より長いＣＰ長の追加することなく、良好な伝送特性が得られる通信システム等を提供することにある。
【課題を解決するための手段】
【００２４】
上述した課題を解決するために、本発明が目的とする通信システムは、
データ信号を送信する移動局と、当該移動局が送信したデータ信号を受信する複数の基地局とを含む通信システムにおいて、
前記基地局として、
前記移動局から送信された情報ビットを符号化して生成したデータ信号を検出する第１の信号検出部を備える第１の基地局と、
前記移動局から送信された情報ビットを符号化して生成したデータ信号を前記第１の基地局が検出した検出結果を用いて、自局が受信したデータ信号の検出を行う第２の信号検出部を備える第２の基地局とを少なくとも一つずつ含み、
前記第２の信号検出部は、前記第１の基地局が検出した前記検出結果を用いて、前記第２の基地局が受信したデータ信号のうち、前記移動局が送信したデータ信号を除去して、前記移動局が送信したデータ信号以外のデータ信号を検出し、
前記データ信号以外のデータ信号を検出した結果を用いて、前記第２の基地局が受信したデータ信号のうち、前記移動局が送信したデータ信号を検出することを特徴とする。
【００２６】
また、本発明の通信システムにおいて、前記第２の基地局は、前記第２の信号検出部が前記移動局が送信したデータ信号を検出した結果に対して復号処理を行う復号部を更に備え、前記第２の信号検出部は、前記復号処理の検出結果を用いて、前記移動局が送信したデータ信号の検出を行うことを特徴とする。
【００２７】
また、本発明の通信システムにおいて、
前記第２の基地局は、前記第１の信号検出部が前記移動局が送信したデータ信号を検出した結果と前記第２の信号検出部が前記移動局が送信したデータ信号を検出した結果とを合成する合成部を備え、
前記復号部は、前記合成部が出力信号に対して復号処理を行うことを特徴とする。
【００２８】
また、本発明の通信システムにおいて、前記第２の基地局は、前記第１の信号検出部が前記移動局が送信したデータ信号を検出した結果と前記第２の信号検出部が前記移動局が送信したデータ信号を検出した結果とを合成する合成部を更に備えることを特徴とする。
【００２９】
また、本発明の通信システムにおいて、前記移動局は、自局がデータ信号を送信するタイミングを測定するための送信タイミング測定信号を前記第１の基地局及び前記第２の基地局に送信することを特徴とする。
【００３２】
また、本発明の通信システムにおいて、前記第２の基地局は、前記第１の基地局に、前記移動局が送信したデータ信号を検出した結果の送信を要求すること、を特徴とする。
【００３６】
また、本発明の通信システムにおいて、前記第１の基地局は、前記第１の信号検出部が検出した結果に対して復号処理を行う復号部と、前記復号部が復号処理した結果であって、前記移動局が送信したデータ信号に対する復号処理結果を前記第２の基地局に転送する上位レイヤと、を更に備えることを特徴とする。
【００３７】
本発明の通信方法は、
データ信号を送信する移動局と、当該移動局が送信したデータ信号を受信する少なくとも第１及び第２の基地局とを含む通信システムにおける通信方法において、
前記第１の基地局に、
前記移動局から送信された情報ビットを符号化して生成したデータ信号を検出する第１のステップと、
前記第２の基地局が前記第１のステップが検出した前記検出結果を用いて、前記第２の基地局が受信したデータ信号のうち、前記移動局が送信したデータ信号を除去して、前記移動局が送信したデータ信号以外のデータ信号を検出する第２のステップと、
前記データ信号以外のデータ信号を検出した結果を用いて、前記第２の基地局が受信したデータ信号のうち、前記移動局が送信したデータ信号を検出する第３のステップとを実現することを特徴とする。
本発明の基地局は、
データ信号を送信する移動局と、前記移動局が送信したデータ信号を検出する第１の基地局と、を含む通信システムに接続される第２の基地局であって、
前記移動局から送信された情報ビットを符号化して生成したデータ信号を前記第１の基地局が検出した結果を用いて、自局が受信したデータ信号の検出を行う第２の信号検出部を備え、
前記第２の信号検出部は、前記第１の基地局が検出した前記検出結果を用いて、前記第２の基地局が受信したデータ信号のうち、前記移動局が送信したデータ信号を除去して、前記移動局が送信したデータ信号以外のデータ信号を検出し、
前記データ信号以外のデータ信号を検出した結果を用いて、前記第２の基地局が受信したデータ信号のうち、前記移動局が送信したデータ信号を検出することを特徴とする。
【発明の効果】
【００４１】
本発明の通信システムは、移動局が同一のデータ信号を複数の基地局に送信した場合、同一のデータ信号を受信した基地局は同一のデータ信号を受信した他の基地局の信号検出結果を用いて前記同一のデータ信号を検出する。よって、同一のデータ信号を送信する移動局からの信号の受信タイミングが他の移動局からの信号の受信タイミングに対してＧＩ長を超えるほど大きくなる場合においても、移動局からの受信信号間で受信タイミングに起因する干渉を抑えることができ、長いＣＰの導入することなく特性劣化を軽減することができる。
【図面の簡単な説明】
【００４２】
【図１】第１実施形態における移動局の構成を説明する為の図である。
【図２】第１実施形態における基地局（アンカー基地局）の構成を説明する為の図である。
【図３】第１実施形態における信号検出部の構成を説明する為の図である。
【図４】第１実施形態における基地局（協調基地局）の構成を説明する為の図である。
【図５】第１実施形態における信号検出部の構成を説明する為の図である。
【図６】第１実施形態における信号成分を除去する動作について説明する為の図である。
【図７】第１実施形態における信号成分を除去する動作について説明する為の図である。
【図８】第１実施形態における動作を説明する為のシーケンス図である。
【図９】第１実施形態における処理を説明する為のフローチャートである。
【図１０】第１実施形態における処理を説明する為のフローチャートである。
【図１１】第２実施形態における移動局の構成を説明する為の図である。
【図１２】第２実施形態における基地局（協調基地局）の構成を説明する為の図である。
【図１３】第２実施形態における動作を説明する為のシーケンス図である。
【図１４】第２実施形態における処理を説明する為のフローチャートである。
【図１５】第２実施形態における処理を説明する為のフローチャートである。
【図１６】第３実施形態における通信システム全体を説明する為の図である。
【図１７】第３実施形態における動作を説明する為のシーケンス図である。
【図１８】第３実施形態における動作を説明する為のシーケンス図である。
【図１９】第３実施形態における基地局（協調基地局）の構成を説明する為の図である。
【図２０】第３実施形態における処理を説明する為のフローチャートである。
【図２１】第３実施形態における処理を説明する為のフローチャートである。
【図２２】第３実施形態における処理を説明する為のフローチャートである。
【図２３】第３実施形態における動作を説明する為のシーケンス図である。
【図２４】通信システム全体を説明する為の図である。
【図２５】通信システム全体を説明する為の図である。
【発明を実施するための形態】
【００４３】
以下、図面を参照して本発明を実施するための最良の形態について説明する。本発明の通信システムは、アップリンクにおいて複数の基地局に対して同一のデータ信号を送信する移動局を備え、前記複数の基地局が協調して前記移動局のデータ信号の検出処理を行う。前記複数の基地局に対して同一のデータ信号を送信する移動局を協調移動局と呼ぶ。
【００４４】
［１．第１実施形態］
第１の実施形態は、移動局（移動端末）が１つのアンカー基地局（サービング基地局、Ｓｅｒｖｉｎｇ  ｃｅｌｌ）と協調基地局とに対して同一のデータ信号を送信する通信システムにおいて、前記移動局の送信タイミングがアンカー基地局の基準タイミングにより設定される場合である。以下、図２５で示した２つ基地局（基地局２００、３００）が構成するセル内に３つの移動局１００−ｎ（ｎ＝１，２，３）が存在し、前記移動局のうち１つの移動局１００−１が両方の基地局に対してデータ信号を送信する場合で説明する。また、以下では、伝送方式としてＳＣ−ＦＤＭＡを用いた場合を説明するが、これに限るものではない。
【００４５】
［１．１  移動局の構成］
図１は、第１の実施形態における移動局１００−ｎの構成を示す概略ブロック図である。移動局１００−ｎは、上位レイヤ１０１、符号部１０２、パンクチャ部１０３、スクランブル部１０４、変調部１０５、ＤＦＴ部１０６、マッピング部１０７、ＩＦＦＴ部１０８、ＧＩ挿入部（ＣＰ挿入部）１０９、無線部１１０、送信アンテナ部１１１、参照信号生成部１１２、制御信号検出部１１３、無線部１１４、受信アンテナ部１１５を備えている。
【００４６】
上位レイヤ１０１は、ＭＡＣ（Media Access Control、媒体アクセス制御）層、ネットワーク層などの上位層に位置する機能を有する部位であり、アップリンクにおいて送信する情報データ及び／または制御データを符号部１０２に入力する。
【００４７】
符号部１０２は入力されたデータに対して畳込み符号、ターボ符号、ＬＤＰＣ（Low Density Parity Check：低密度パリティ検査）符号などの誤り訂正符号を用いて符号化を行い、符号化ビットを生成する。
【００４８】
パンクチャ部１０３は移動局１００−ｎが送信する信号のＭＣＳ（変調及び符号化方式、Modulation and Coding Scheme）に従って、符号部１０２から出力された符号化ビットに対してパンクチャ処理を行う。なお、パンクチャ処理は送信相手先毎（基地局毎）に異なってもよい。
【００４９】
スクランブル部１０４は、パンクチャ部１０３が出力する信号に移動局固有のデータ系列を乗算することによりスクランブル処理を行う。なお、前記データ系列は疑似雑音系列であることが望ましい。
【００５０】
変調部１０５は、スクランブル部１０４が出力する信号をＰＳＫ（Phase Shift Keying：位相遷移変調）やＱＡＭ（Quadrature Amplitude Modulation：直交振幅変調）等の変調シンボルにマッピングする。
【００５１】
ＤＦＴ部１０６は、変調部１０５から出力された変調シンボルをＤＦＴ処理（離散フーリエ変換処理）する。
【００５２】
マッピング部１０７は、ＤＦＴ部１０６の出力信号と参照信号生成部１１２で生成される参照信号を決められたリソース（リソースエレメント）にマッピングし、マッピングした信号はＩＦＦＴ部１０８で周波数−時間変換される。
【００５３】
ここで、リソースとは、移動局１００−ｎが送信するフレームにおいて１つのサブキャリアと１つのＳＣ−ＦＤＭＡシンボルから成る、ＤＦＴ部１０６の出力信号と参照信号を配置する単位である。また、前記参照信号は、伝搬路推定に用いる信号であり、属する通信システムにおいて既知の信号である。ここで、参照信号は用途別に異なってもよく、例えば、上り回線におけるリソース割り当てスケジューリングを行うための伝送路状況測定用参照信号（ＳＲＳ：Sounding Reference Signal）や、移動局が送信したデータ信号を基地局で復調を行うための復調用参照信号（ＤＭＲＳ：Demodulation Reference Signal）などを用いることができる。なお、復調用参照信号はＤＦＴ部１０６よりも前の信号に対して挿入してもよい。
【００５４】
ＧＩ挿入部１０９は、ＩＦＦＴ部１０８で生成された時間信号にガードインターバルを付加する。ＧＩ挿入部１０９が出力する信号は、無線部１１０においてデジタル・アナログ変換（Ｄ／Ａ変換）、送信フィルタによる波形整形、無線周波数への変換がなされ、送信アンテナ部１１１から送信される。なお、ＧＩ挿入部１０９が出力する信号、すなわち前記ＩＦＦＴ部１０８が出力する区間と前記ＧＩ挿入部１０９で付加したＧＩ区間を合わせてＳＣ−ＦＤＭＡシンボルと呼ぶ。
【００５５】
受信アンテナ部１１５は、基地局が送信した信号を受信し、無線部１１４で無線周波数からベースバンドに変換、受信フィルタによる帯域制限、アナログ・デジタル変換（Ａ／Ｄ変換）され、受信信号として出力される。
【００５６】
制御信号検出部１１３は前記受信信号のうち、制御信号の検出を行い、制御情報を上位レイヤ１０１に通知する。前記制御情報はアップリンクの送信タイミング情報（Timing Advance Command）を含んでいる。移動局１００−１（協調移動局）は前記送信タイミング情報を含んだ制御信号を基地局２００（アンカー基地局、後述）から受信する。移動局１００−２は前記送信タイミング情報を含んだ制御信号を基地局２００から受信する。移動局１００−３は前記送信タイミング情報を含んだ制御信号を基地局３００から受信する。
【００５７】
なお、スクランブル部１０４、変調部１０５、ＤＦＴ部１０６、マッピング部１０７、ＩＦＦＴ部１０８、ＧＩ挿入部１０９、無線部１１０、送信アンテナ部１１１は、移動局１００−ｎが接続する基地局数分の系統を備えることも可能である。
【００５８】
［１．２  基地局（アンカー基地局）の構成］
図２は第１実施形態における基地局２００（アンカー基地局）の構成を示す概略ブロック図である。基地局２００は、受信アンテナ部２０１、無線部２０２、信号検出部２０３、デスクランブル部２０５、合成部２０６、デパンクチャ部２０７、復号部２０８、上位レイヤ２０９、伝搬路推定部２１０、送信アンテナ部２１１、無線部２１２、制御信号生成部２１３及び符号化ビットＬＬＲ記憶部２１４を備えている。
【００５９】
受信アンテナ部２０１は、基地局２００と接続している移動局から送信される信号を受信する。無線部２０２は、受信アンテナ部２０１で受信された信号を無線周波数からベースバンドに変換、受信フィルタによる帯域制限、アナログ・デジタル変換（Ａ／Ｄ変換）し、受信信号として出力する。
【００６０】
信号検出部２０３は伝搬路推定部２１０が生成する伝搬路推定値を用いて受信信号の伝搬路歪補償を行った後、復調結果をデスクランブル部に出力する。
【００６１】
図３は信号検出部２０３の構成を示す概略ブロック図である。信号検出部２０３はＧＩ除去部２３１、ＦＦＴ部２３２、フィルタ部２３３、ＩＤＦＴ部２３４及び復調部２０４を備えている。
【００６２】
ＧＩ除去部２３１は、受信信号のうちＧＩを除去する。ＦＦＴ部２３２は、前記ＧＩ除去部２３１が出力する信号を高速フーリエ変換処理（ＦＦＴ）により時間領域から周波数領域に変換する。ここで、ＳＣ−ＦＤＭＡにおいて周波数方向に複数の移動局を多重した場合、ＦＦＴ部２３２が行うＦＦＴ処理以降は移動局毎、あるいはＩＤＦＴを行う単位毎に処理を行うことになる。以下では、協調通信を行っている移動局に対する処理を説明する。
【００６３】
フィルタ部２３３は、伝搬路推定値を用いて算出した伝搬路補償重みをＦＦＴ部が出力する周波数領域の信号に乗算する。前記伝搬路補償重みは、例えば、ＭＭＳＥ（Minimum Means Square Error：最小二乗平均誤差）規範に基づいた重み係数などがある。
【００６４】
ＩＤＦＴ部２３４はフィルタ部２３３が出力する信号にＩＤＦＴ（逆離散フーリエ変換）処理を行う。
【００６５】
復調部２０４は前記ＩＤＦＴ部２３４からの出力信号をデマッピングして、ビットの尤度情報である符号化ビットＬＬＲ（Log Likelihood Ratio：対数尤度比、軟判定値）を算出する。なお、前記符号化ビットＬＬＲの代わりに、符号化ビット（硬判定値）を算出してもよい。
【００６６】
図２に戻り、デスクランブル部２０５は復調後の符号化ビットＬＬＲに各移動局固有で固有のスクランブル符号系列を乗算することでデスクランブル処理を行う。符号化ビットＬＬＲ記憶部２１４はデスクランブル部２０５が出力する復調後の符号化ビットＬＬＲのうち、協調移動局に関する復調後の符号化ビットＬＬＲを記憶する。
【００６７】
合成部２０６は、協調基地局から送信された協調移動局のデータ信号の符号化ビットＬＬＲと符号化ビットＬＬＲ記憶部２１４に記憶している符号化ビットＬＬＲとを合成する。なお、基地局から基地局へのデータ信号等の送信を転送とも呼ぶ。
【００６８】
デパンクチャ部２０７はデスクランブル部から出力される復調後の符号化ビットＬＬＲあるいは合成部から出力される復調後の符号化ビットＬＬＲを符号化ビットに施されているＭＣＳに従ってパンクチャ処理を行う。
【００６９】
復号部２０８はデパンクチャ部２０７が出力する符号化ビットＬＬＲに対して誤り訂正復号処理を行う。前記誤り訂正復号処理結果（復号後の符号化ビットＬＬＲ、軟判定値）は、上位レイヤ２０９を通じてアンカー基地局２００と協調している協調基地局３００に送信される。前記誤り訂正復号処理結果は、復号後の符号化ビット（硬判定値）でもよい。
【００７０】
なお、上述のＧＩ除去部２３１、ＦＦＴ部２３２、フィルタ部２３３、ＩＤＦＴ部２３４をＳＣ−ＦＤＭＡ信号検出処理部と呼ぶ。
【００７１】
制御信号生成部２１３は上位レイヤ２０９から出力された移動局毎の制御情報に基づいて、各移動局に対する制御信号（ＤＣＩ）を生成する。前記制御信号は送信タイミング調整信号（Timing Advance Command）を含んでおり、ＰＤＣＣＨを通じて移動局に通知される。
【００７２】
無線部２１２では、デジタル・アナログ変換（Ｄ／Ａ変換）、送信フィルタによる波形整形、無線周波数への変換し、送信アンテナ部１１１から送信する。また、図示しないが、その移動局に対する情報データを、ＰＤＳＣＨ（Physical Downlink Shared CHannel）を通じて制御信号とともに、送信することができる。なお、ＰＤＳＣＨを通じて制御信号を送信することもできる。また、下り回線としてＯＦＤＭＡを用いることができる。また、制御信号として、上位レイヤからの制御情報の他にも、物理レイヤにおける制御情報も含むことができる。
【００７３】
［１．３  基地局（協調基地局）の構成］
図４は第１実施形態における基地局３００（協調基地局）の構成を示す概略ブロック図である。基地局３００は、受信アンテナ部２０１、無線部２０２、信号検出部３０３、デスクランブル部３０５、デパンクチャ部２０７、復号部２０８、上位レイヤ３０９及び伝搬路推定部２１０を備えて構成されている。基地局３００は、基地局２００と信号検出部３０３、デスクランブル部３０５、上位レイヤ３０９が異なる。以下、上記異なる部位を中心に説明する。
【００７４】
信号検出部３０３は、伝搬路推定部２１０が生成する伝搬路推定値とアンカー基地局（基地局２００）から送信されたデータ信号の検出結果を用いて、無線部２０２から出力される受信信号に対して信号検出処理を行う。
【００７５】
また、信号検出部３０３は、伝搬路推定部２１０が生成する伝搬路推定値と復号部２０８が出力するデータ信号の復号結果を用いて、無線部２０２から出力される受信信号に対して信号検出処理を行う。データ信号の検出結果及びデータ信号の復号結果として、符号化ビットＬＬＲ（軟判定値）、符号化ビット（硬判定値）などがある。
【００７６】
図５は信号検出部３０３の構成を示す概略ブロック図である。信号検出部３０３は、レプリカ生成部３３１、干渉除去部３３２、ＧＩ除去部２３１、ＦＦＴ部２３２、フィルタ部２３３、ＩＤＦＴ部２３４及び復調部２０４を備えて構成されている。
【００７７】
レプリカ生成部３３１は、アンカー基地局（基地局２００）から送信された移動局１００−１のデータ信号の符号化ビットＬＬＲから移動局１００−１の送信信号レプリカを生成する。レプリカ生成部３３１は、前記送信信号レプリカと伝搬路推定値により基地局３００が受信した移動局１００−１の受信信号レプリカを生成する。
【００７８】
また、レプリカ生成部３３１は、復号部２０８が出力する移動局１００−３のデータ信号の符号化ビットＬＬＲから移動局１００−３の送信信号レプリカを生成する。さらに、レプリカ生成部３３１は、前記送信信号レプリカと伝搬路推定値により基地局３００が受信した移動局１００−３の受信信号レプリカを生成する。なお、前記移動局１００−３の送信信号レプリカは、復調部２０４が出力する移動局１００−３のデータ信号の符号化ビットＬＬＲから生成してもよい。
【００７９】
干渉除去部３３２は、無線部２０２から出力される受信信号から前記いずれかの受信信号レプリカを減算する。
【００８０】
図６は干渉除去部３３２が移動局１００−１の信号成分を除去する概略図である。横軸は時間、縦軸は周波数である。ｓ１及びｓ２は、無線部２０２が出力する受信信号であり、ｓ１は基地局３００が受信した移動局１００−３のデータ信号成分、ｓ２は基地局３００が受信した移動局１００−１のデータ信号成分である。移動局１００−１の送信タイミングが基地局２００との接続を基準として設定されたことに起因して、ｓ１はｓ２に対して到来時間差がＧＩ長以上となっている。なお、この時、基地局２００は移動局１００−１及び移動局１００−２の到来時間差はＧＩ長以内に収まっているとする。
【００８１】
干渉除去部３３２は、レプリカ生成部３３１が生成したｓ２に対する受信信号レプリカを無線部２０２から入力される受信信号から除去することにより、移動局１００−３のデータ信号成分ｓ１を抽出する。前記ｓ２に対する受信信号レプリカは、アンカー基地局から送信された移動局１００−１のデータ信号の符号化ビットＬＬＲから生成される。
【００８２】
ＧＩ除去部２３１は干渉除去部３３２が出力する信号からＧＩ区間を除去する。図６におけるｓ１のＧＩ区間を除去する。
【００８３】
ＦＦＴ部２３２は、前記ＧＩ除去部２３１が出力する信号を移動局１００−３のデータ信号成分ｓ１のタイミングに合わせて高速フーリエ変換処理（ＦＦＴ）により時間領域から周波数領域に変換する。つまり、図６の区間ｔ１がＦＦＴ区間となる。ＦＦＴ部２３２が出力する移動局１００−３のデータ信号に対する信号は、フィルタ部２３３、ＩＤＦＴ部２３４、復調部２０４、デスクランブル部３０５、デパンクチャ部２０７及び復号部２０８の各々で処理され、復号部２０８が出力する移動局１００−３の復号後の符号化ビットＬＬＲが上位レイヤ３０９及び信号検出部３０３に入力される。
【００８４】
図７は干渉除去部３３２が移動局１００−３の信号成分を除去する概略図である。干渉除去部３３２は、レプリカ生成部３３１が生成したｓ１に対する受信信号レプリカを無線部２０２から入力受信信号から除去することにより、移動局１００−１のデータ信号成分ｓ２を抽出し、ＧＩ除去部２３１に入力する。前記ｓ１に対する受信信号レプリカは、復号部２０８から出力される移動局１００−３のデータ信号の符号化ビットＬＬＲから生成される。
【００８５】
ＧＩ除去部２３１は図６におけるｓ２のＧＩ区間を除去し、ＦＦＴ部２３２は、前記ＧＩ除去部２３１が出力する信号を移動局１００−１のデータ信号成分ｓ２のタイミングに合わせて高速フーリエ変換処理（ＦＦＴ）により時間領域から周波数領域に変換する。つまり、図６の区間ｔ２がＦＦＴ区間となる。
【００８６】
ＦＦＴ部２３２が出力する移動局１００−１のデータ信号に対する信号は、フィルタ部２３３、ＩＤＦＴ部２３４、復調部２０４及びデスクランブル部３０５で各処理がなされる。デスクランブル部３０５が出力する移動局１００−１のデータ信号に対する復調後の符号化ビットＬＬＲは、デパンクチャ部２０７及び上位レイヤ３０９に入力される。なお、アンカー基地局同様に、上述のＧＩ除去部２３１、ＦＦＴ部２３２、フィルタ部２３３、ＩＤＦＴ部２３４をＳＣ−ＦＤＭＡ信号検出処理部と呼ぶ。
【００８７】
なお、移動局１００−１のデータ信号に対する前記復調後の符号化ビットＬＬＲは、さらに復号部２０８で復号後の符号化ビットＬＬＲに変換後、干渉除去部３３２に入力することもできる。干渉除去部３３２は、前記移動局１００−１のデータ信号に対する復号後の符号化ビットＬＬＲを用いて、再度、移動局１００−３データ信号に対する信号検出をすることで、さらに高精度な信号検出が可能となる。
【００８８】
図４に戻り、上位レイヤ３０９は、復号部２０８から出力される前記移動局１００−３の符号化ビットＬＬＲを判定することにより情報データを算出する。また、前記移動局１００−１の符号化ビットＬＬＲをアンカー基地局（基地局２００）に送信する。なお、アンカー基地局に送信する信号は、符号化ビットＬＬＲの硬判定結果である符号化ビットでもよい。
【００８９】
なお、協調基地局は、協調基地局が各移動局に送信するダウンリンクのデータ信号及びの協調移動局を制御する制御信号は除く制御信号を生成するための送信系を備えているが、図４では省略している。
【００９０】
［１．４  処理の流れ］
図８は、第１実施形態において、協調移動局（移動局１００−１）がアンカー基地局及び協調基地局にデータ信号を送信し、前記両方に送信されたデータ信号から協調移動局の情報ビットを取得する動作例を示すシーケンス図である。
【００９１】
まず、アンカー基地局（基地局２００）は協調移動局に送信タイミングを測定する制御信号（送信タイミング測定信号。例えば、ＬＴＥにおけるランダムアクセスプリアンブル）の送信を指示する制御信号（例えば、ＬＴＥにおけるＲＡＣＨに対するPreamble Indicator）を送信する（Ｓ１０１）。このとき、前記送信タイミング測定信号を送信するリソース及び前記送信タイミング測定信号のフォーマット（例えば、プリアンブル系列）を指示している。
【００９２】
次に、協調移動局は前記送信タイミング測定信号の送信を指示する制御信号に従い、送信タイミング測定信号をアンカー基地局に送信する（Ｓ１０２）。例えば、前記送信タイミング測定信号はＲＡＣＨ（Random Access CHannel）を通じて行う。なお、協調移動局は、送信タイミング測定信号を前記送信タイミング測定信号の送信を指示する制御信号の受信の有無によらず送信することも可能である。その場合は、利用可能なリソース及びフォーマットはアンカー基地局からＰＢＣＨ（Physical Broadcast CHannel）を通じて報知されているので、それに基づいて送信タイミング測定信号を送信できる。
【００９３】
前記送信タイミング測定信号を受信したアンカー基地局は、前記送信タイミング測定信号と自基地局が保持する基準タイミングとの時間差を算出し、送信タイミング補正情報を作成し、設定する（Ｓ１０３）。前記アンカー基地局は、自基地局と接続を選択した他の移動局（図２５における移動局１００−２）から送信タイミング測定信号を受信した場合、各移動局に対する送信タイミング補正情報も作成する。
【００９４】
アンカー基地局は、アンカー基地局として接続する総ての移動局に対して、各移動局からの送信タイミング測定信号とアンカー基地局が保持する前記基準タイミングとの時間差をＧＩ長以下になる送信タイミング補正を行うことになる。なお、アンカー基地局が保持する前記基準タイミングは、協調基地局が保持する基準タイミングと同じであることが望ましい。
【００９５】
次に、アンカー基地局は前記送信タイミング補正情報をダウンリンクの制御信号により協調移動局に通知する（Ｓ１０４）。
【００９６】
次に、協調移動局は、前記送信タイミング補正情報で通知を受けた送信タイミングに応じて、アンカー基地局に対して、上り回線のリソース割り当て要求（ＳＲ：Scheduling Request）を行う（Ｓ１０５）。例えば、上り回線のリソース割り当て要求はＰＵＣＣＨ（Physical Uplink Control CHannel）を通じて要求する。
【００９７】
次に、アンカー基地局は、協調移動局に対して、上り回線のリソース割当情報をＰＤＣＣＨなどを通じて通知する（Ｓ１０６）。その際、アンカー基地局は、協調基地局に対しても、協調移動局に対するリソース割当情報を通知する（Ｓ１０７）。
【００９８】
次に、協調移動局は、リソース割り当て情報に基づいて、アンカー基地局及び協調基地局にデータ信号を送信する（Ｓ１０８及びＳ１０９）。なお、データ信号を送信するリソースは、他の制御信号によりアンカー基地局及び協調基地局の他の信号と衝突しないようにスケジューリングされている。アンカー基地局は、受信した協調移動局のデータ信号に対して検出処理を行い（Ｓ１１０）、符号化ビットＬＬＲを得る。
【００９９】
次に、アンカー基地局は、前記符号化ビットＬＬＲを上位レイヤのインターフェース（例えば、ＬＴＥにおけるＸ２インターフェース）を通じて協調基地局に送信する（Ｓ１１１）。
【０１００】
次に、協調基地局は、Ｓ１１１で受信した符号化ビットＬＬＲを用いて、Ｓ１０９で受信したデータ信号の信号検出処理を行う（Ｓ１１２）。協調基地局は、前記信号検出処理により得られるデータ信号のうち協調移動局のデータ信号の符号化ビットＬＬＲをアンカー基地局に上位レイヤのインターフェースを通じて送信する（Ｓ１１３）。前記信号検出処理により得られる他の移動局（例えば、図２５の移動局１００−３）のデータ信号の符号化ビットＬＬＲは上位レイヤにて判定され情報データを得る。
【０１０１】
最後に、アンカー基地局は、アンカー基地局が受信した協調移動局からのデータ信号の符号化ビットＬＬＲとＳ１１３で協調基地局から送信された協調移動局のデータ信号の符号化ビットＬＬＲとを合成し（図２の合成部２０６）、前記合成された符号化ビットＬＬＲに対して復号処理（図２の復号部２０８）を行うことで復号後の符号化ビットＬＬＲを算出する。アンカー基地局は、上位レイヤにて、前記復号後の符号化ビットＬＬＲから協調移動局の情報データを取得する（Ｓ１１４）。なお、上述で取得した各移動局の情報データは、ダウリンクにおいて、各情報データの送信宛の移動局に送信される。
【０１０２】
つづいて、図９は第１実施形態におけるアンカー基地局の移動局から受信したデータ信号に対する受信処理に係る動作例を示すフローチャートである。
【０１０３】
まず、アンカー基地局は、自基地局と接続することを選択した複数の移動局からのデータ信号を受信する（ステップＳ２０１）。受信したデータ信号には協調移動局のデータ信号も含まれている。アンカー基地局は、受信したデータ信号に対してＳＣ−ＦＤＭＡ信号検出、復調、デスクランブル処理等を行い、復調後の符号化ビットＬＬＲを算出する（ステップＳ２０２）。
【０１０４】
次に、前記復調後の符号化ビットＬＬＲのうち、協調移動局のデータ信号の符号化ビットＬＬＲが有るか判定する。ここで、協調移動局のデータ信号の符号化ビットＬＬＲが無い場合、すなわち、協調移動局以外のデータ信号の符号化ビットＬＬＲの場合は（ステップＳ２０３；ＮＯ）、デパンクチャ、復号処理することにより、復号後の符号化ビットＬＬＲを算出し（ステップＳ２０４）、前記復号後の符号化ビットＬＬＲから各移動局の情報データを取得する（ステップＳ２０５）。
【０１０５】
他方、前記復調後の符号化ビットＬＬＲが有る場合、すなわち、協調移動局のデータ信号の符号化ビットＬＬＲの場合は（ステップＳ２０３；ＹＥＳ）、協調移動局のデータ信号の復調後の符号化ビットＬＬＲを記憶部に記憶し、さらに前記復調後の符号化ビットＬＬＲに対してデパンクチャ、復号処理を行うことにより、協調移動局のデータ信号の復号後の符号化ビットＬＬＲを算出する（ステップＳ２０６）。そして、ステップＳ２０６で算出された協調移動局のデータ信号の復号後の符号化ビットＬＬＲを、協調基地局に送信する（ステップＳ２０７）。
【０１０６】
次に、アンカー基地局は、協調基地局から、協調基地局が受信した協調移動局のデータ信号の符号化ビットＬＬＲの送信があるか否かを判定する（ステップＳ２０８）。送信がない場合（ステップＳ２０８；ＮＯ）、送信されるのを待機する（ステップＳ２０８；ＮＯ）。
【０１０７】
送信がある場合（ステップＳ２０８；ＹＥＳ）、送信された協調基地局が受信した協調移動局のデータ信号の復調後の符号化ビットＬＬＲと、アンカー基地局が受信した該協調移動局のデータ信号の復調後の符号化ビットＬＬＲ（符号化ビットＬＬＲ記憶部に記憶している該符号化ビットＬＬＲ）とを合成する（ステップＳ２０９）。そして、合成した協調移動局のデータ信号の符号化ビットＬＬＲに対してデパンクチャ、復号処理等を行い、協調移動局の復号後の符号化ビットＬＬＲを算出する（ステップＳ２０４）。最後に、前記協調移動局の復号後の符号化ビットＬＬＲを判定して協調移動局の情報データを取得する（ステップＳ２０５）。
【０１０８】
上述のように、アンカー基地局は、受信信号レプリカを用いて協調基地局が算出した協調移動局の復調後の符号化ビットＬＬＲと、自局が算出した協調移動局の復調後の符号化ビットＬＬＲの合成信号とを用いて、協調移動局の情報データを算出する。これにより、協調基地局での送信タイミングのズレに起因する干渉を受けずに、協調移動局の情報データを取得することが可能となる。
【０１０９】
図１０は第１実施形態における協調基地局の移動局から受信したデータ信号に対する受信処理に係る動作例を示すフローチャートである。
【０１１０】
まず、協調基地局は、自基地局と接続することを選択した複数の移動局からのデータ信号を受信する（ステップＳ３０１）。受信したデータ信号には協調移動局のデータ信号も含んでいる。
【０１１１】
次に、自基地局が受信した協調移動局のデータ信号に関する符号化ビットＬＬＲの送信がアンカー基地局からあるか否か判定する（ステップＳ３０２）。送信がない場合は（ステップＳ３０２；ＮＯ）、送信があるまで待機している。アンカー基地局から符号化ビットＬＬＲの送信がある場合は（Ｓ３０２；ＹＥＳ）、送信された協調移動局の符号化ビットＬＬＲを用いて、協調基地局が受信した協調移動局のデータ信号の受信信号レプリカを生成し（ステップＳ３０３）、前記受信信号レプリカを協調基地局の受信信号（ステップＳ３０１で受信した信号）から除去する（ステップＳ３０４）。
【０１１２】
次に、ステップＳ３０４で協調移動局のデータ信号の受信信号レプリカを除去した信号に対して、ＳＣ−ＦＤＭＡ信号検出、復調、デスクランブル、デパンクチャ、復号処理を施し、協調移動局以外の移動局の復号後の符号化ビットＬＬＲを算出する（ステップＳ３０５）。そして、前記協調移動局以外の移動局の復号後の符号化ビットＬＬＲから協調移動局以外の移動局の情報データを取得する（ステップＳ３０６）。また、前記協調移動局以外の移動局の復号後の符号化ビットＬＬＲは信号検出部にフィードバックされる（ステップＳ３０７）。信号検出部はフィードバックされた復号後の符号化ビットＬＬＲを用いて、協調移動局以外の移動局から受信したデータ信号の受信信号レプリカを生成する（ステップＳ３０８）。
【０１１３】
次に、協調移動局以外の移動局から受信したデータ信号の受信信号レプリカを協調基地局の受信信号（ステップＳ３０１で受信した信号）から除去する（ステップＳ３０９）。そして、ステップＳ３０９で受信信号レプリカを除去した信号に対して、ＳＣ−ＦＤＭＡ信号検出、復調、デスクランブル処理を施し、協調基地局が協調移動局から受信したデータ信号に対する復調後の符号化ビットＬＬＲを算出する（ステップＳ３１０）。ステップＳ３１０で算出した復調後の符号化ビットＬＬＲはアンカー基地局に送信し（ステップＳ３１１）、処理が完了する。
【０１１４】
上述のステップＳ３０３〜Ｓ３０６で示したように、協調基地局の受信信号からアンカー基地局が送信した協調移動局のデータ信号の符号化ビットＬＬＲから生成した協調移動局からの受信信号レプリカを除去した後、協調移動局以外の移動局から受信したデータ信号の信号検出、復調、復号処理等を行うことにより、協調移動局以外の移動局が協調移動局から受ける協調移動局の送信タイミングのズレに起因する干渉を低減することができ、協調移動局以外の移動局からのデータ信号の復号精度の劣化を抑えることが可能になる。
【０１１５】
また、上述のステップＳ３０７〜Ｓ３１１で示したように、前記ステップＳ３０３〜Ｓ３０６で算出した復号後の符号化ビットＬＬＲから生成した協調移動局以外の移動局から受信した受信信号レプリカを協調基地局の受信信号から除去した後、協調移動局から受信したデータ信号の信号検出、復調処理を行うことにより、協調移動局が他の移動局から受ける協調移動局の送信タイミングのズレに起因する干渉を低減することができ、協調移動局からのデータ信号の復調精度の劣化を抑えることが可能になる。
【０１１６】
なお、アンカー基地局が送信した協調移動局のデータ信号の符号化ビットＬＬＲを用いた信号検出処理〜復号処理と、自局の復号処理により算出した符号化ビットＬＬＲを用いた信号検出〜復号処理とを繰り返し行うようにしてもよい。この場合、協調基地局とアンカー基地局間で符号化ビットＬＬＲの送信が双方向に複数回行うことになる。
【０１１７】
また、自局の復号処理により算出した符号化ビットＬＬＲを用いた信号検出〜復号処理において、前記符号化ビットＬＬＲは協調移動局のデータ信号の符号化ビットＬＬＲに加え、協調移動局以外の移動局のデータ信号の符号化ビットＬＬＲを用いてもよい。この場合、協調移動局のデータ信号の符号化ビットＬＬＲを用いた信号検出〜復号処理と協調移動局以外の移動局のデータ信号の符号化ビットＬＬＲを用いた信号検出〜復号処理を交互に繰り返し行うこともできる。
【０１１８】
以上のように、協調移動局が同一のデータ信号を複数の基地局に送信する場合、協調移動局は、送信した複数の基地局のうちアンカー基地局が保持する基準タイミングに基づいて前記同一のデータを複数の基地局に送信する。協調移動局からの信号を受信した複数の基地局のうち協調基地局は、協調移動局を含む複数の移動局からのデータ信号を検出する際、前記協調移動局がアンカー基地局へ送信したデータ信号の符号化ビットＬＬＲを用いる。これにより、協調基地局は、各移動局のデータ信号の受信タイミングがＧＩ長を超えた場合においても、ＦＦＴの周期性の崩れに起因する特性劣化およびＦＦＴ区間の信号間の干渉（ブロック間干渉）に起因する特性劣化を軽減することができる。
【０１１９】
なお、本実施形態では、協調基地局が受信した協調移動局のデータ信号に対する符号化ビットＬＬＲをアンカー基地局に送信し、アンカー基地局において協調基地局が受信した協調移動局のデータ信号に対する符号化ビットＬＬＲと、アンカー基地局が受信した協調移動局のデータ信号に対する符号化ビットＬＬＲとを合成しているが、協調基地局において協調基地局が受信した協調移動局のデータ信号に対する符号化ビットＬＬＲと、アンカー基地局が受信した協調移動局のデータ信号に対する符号化ビットＬＬＲとを合成して情報データを取得してもよい。
【０１２０】
また、その合成した符号化ビットＬＬＲをアンカー基地局に送信することもできる。その場合、協調基地局３００は、図２の符号化ビットＬＬＲ記憶部２１４、合成部２０６をデスクランブル部３０５とでデパンクチャ部２０７の間に備える。
【０１２１】
なお、協調基地局は、アンカー基地局から送信された符号化ビットＬＬＲを用いた信号検出処理と、復号部から入力された符号化ビットＬＬＲを用いた信号検出処理とを協調基地局が受信した同一の受信信号に対して繰り返し行うことも可能である。
【０１２２】
また、アンカー基地局はＰＤＣＣＨを送信する基地局とした場合を説明したが、送信タイミング制御を行う基地局をアンカー基地局としてもよい。
【０１２３】
また、以上の説明では、移動局毎にアンカー基地局が設定されている場合を説明したが、総ての移動局に対してアンカー基地局を固定してもよい。
【０１２４】
また、以上では、複数の基地局装置間と少なくとも１つの移動端末装置との間で協調通信を行う場合について説明したが、他の態様による協調通信であってもよい。物理的に独立した基地局装置間での協調通信、又はセクタ構成をとる一つの基地局装置におけるセクタ間での協調通信、又は基地局装置と光ファイバなどの有線で接続された送信装置（ＲＲＥやＲＲＨなど）との間での協調通信、又は基地局装置とリレー技術を用いて無線で接続された送信装置（リレー局やリピータ局など）との間での協調通信を行う場合であってもよい。さらにそれらを組み合わせて協調通信を行う場合であってもよい。
【０１２５】
また、これらの送信装置が複数の送信アンテナ部（アンテナポート）で持つ場合、そのうちの一部の送信アンテナを用いて協調通信を行ってもよい。また、これらの送信装置のうち、複数のアンテナポート間で協調して少なくとも１つの移動端末装置と通信を行ってもよい。
【０１２６】
また、協調移動局は、協調通信をしていることを認識している場合を説明したが、協調通信をしていることを認識しない場合（transparent）でも実現することは可能である。
【０１２７】
また、協調基地局とアンカー基地局との間で通信を行う協調移動局のデータ信号として、符号化ビットＬＬＲを用いる場合を説明したが、これに限るものではない。例えば、符号化ビットＬＬＲに対して、量子化などの様々な圧縮方法を用いて情報量を削減した信号や硬判定した信号などでもよい。
【０１２８】
また、アンカー基地局において、協調基地局からのデータ信号を正しく受信した場合は、上記で説明した処理を止めることもできる。また、協調基地局で協調移動局からのデータ信号を正しく受信した場合は、アンカー基地局に対して、上記で説明した処理を止めさせることもできる。
【０１２９】
［２．第２実施形態］
続いて、第２実施形態について説明する。第２実施形態は、移動局（移動端末）が１つのアンカー基地局（サービング基地局、Ｓｅｒｖｉｎｇ  ｃｅｌｌ）と協調基地局（とに対して同一のデータ信号を送信する通信システムにおいて、前記移動局の送信タイミングが協調基地局の基準タイミングに設定される場合である。以下、第１実施形態同様に、図２５で示した２つ基地局（基地局２００、３００）が構成するセル内に３つの移動局１００−ｎ（ｎ＝１，２，３）が存在し、前記移動局のうち１つの移動局１００−１が両方の基地局に対してデータ信号を送信する場合で説明する。
【０１３０】
［２．１  機能構成］
第２の実施形態における協調移動局１００−ｎの構成は図１の第１実施形態における協調移動局１００−ｎと同様であり、説明は省略する。
【０１３１】
図１１は第２の実施形態における基地局２００（アンカー基地局）の構成を示す概略ブロック図である。基地局２００は、受信アンテナ部２０１、無線部２０２、信号検出部４０３、デスクランブル部２０５、合成部４０６、デパンクチャ部２０７、復号部４０８、上位レイヤ２０９、伝搬路推定部２１０、符号化ビットＬＬＲ記憶部４１４、送信アンテナ部２１１、無線部２１２及び制御信号生成部２１３を備えて構成されている。
【０１３２】
図１１の基地局２００は、図２の基地局２００と、信号検出部４０３、合成部４０６、復号部４０８及び復号ビットＬＬＲ記憶部４１４の構成が異なる。以下、上記異なる構成を中心に説明する。
【０１３３】
信号検出部４０３は、伝搬路推定部２１０が生成する伝搬路推定値と、協調基地局（基地局３００、後述）から送信されたデータ信号の検出結果とを用いて、無線部２０２から出力される受信信号に対して信号検出処理を行う。また、信号検出部４０３は、伝搬路推定部２１０が生成する伝搬路推定値と、復号部４０８が出力するデータ信号の復号結果とを用いて、無線部２０２から出力される受信信号に対して信号検出処理を行う。信号検出部４０３の構成は、図５に示す構成と同様である。
【０１３４】
符号化ビットＬＬＲ記憶部４１４は、協調基地局から送信された協調移動局のデータ信号の検出結果（復調後の符号化ビットＬＬＲ）を記憶する。合成部４０６は、前記符号化ビットＬＬＲ記憶部４１４が記憶している復調後の符号化ビットＬＬＲとデスクランブル部２０５が出力する協調移動局のデータ信号の復調後の符号化ビットＬＬＲを合成する。復号部４０８は算出した復号後の符号化ビットＬＬＲを上位レイヤに対して出力するとともに、信号検出部４０３に復号後の符号化ビットＬＬＲをフィードバックする。
【０１３５】
図１２は第２実施形態における基地局３００（協調基地局）の構成を示す概略ブロック図である。基地局３００は、受信アンテナ部２０１、無線部２０２、信号検出部２０３、デスクランブル部３０５、デパンクチャ部２０７、復号部２０８、上位レイヤ５０９及び伝搬路推定部２１０を備えている。基地局３００は、信号検出部３０３に替えて信号検出部２０３を備え、上位レイヤ３０９に替えて上位レイヤ５０９を備えていることが第１実施形態における基地局３００と異なる。信号検出部２０３は図３の構成を備えている。基地局３００の同一符号を付した部位は、第１実施形態で示した機能と同様である。
【０１３６】
上位レイヤ５０９は、復号部２０８が出力する復号後の符号化ビットＬＬＲから各移動局の情報データを取得する。また、上位レイヤ５０９は、デスクランブル部３０５が出力する協調移動局のデータ信号に対する復調後の符号化ビットＬＬＲをアンカー基地局に送信する。
【０１３７】
［２．２  処理の流れ］
図１３は、第２実施形態において、協調移動局（移動局１００−１）がアンカー基地局及び協調基地局にデータ信号を送信し、前記両方に送信されたデータ信号から協調移動局の情報ビットを取得する動作例を示すシーケンス図である。
【０１３８】
まず、アンカー基地局（基地局２００）は協調移動局に送信タイミングを測定する制御信号（送信タイミング測定信号。例えば、ＬＴＥにおけるランダムアクセスプリアンブル）の送信を指示する制御信号（例えば、ＬＴＥにおけるＲＡＣＨに対するPreamble Indicator）を送信する（Ｓ４０１）。このとき、前記送信タイミング測定信号を送信するリソース及び前記送信タイミング測定信号のフォーマット（例えば、プリアンブル系列）を指示している。
【０１３９】
次に、協調移動局は前記送信タイミング測定信号の送信を指示する制御信号に従い、送信タイミング測定信号を協調基地局に送信する（Ｓ４０２）。例えば、前記送信タイミング測定信号をＲＡＣＨ（Random Access CHannel）を通じて送信する。なお、協調移動局は、送信タイミング測定信号を前記送信タイミング測定信号の送信を指示する制御信号の受信の有無によらず送信することも可能である。前記送信タイミング測定信号を受信した協調基地局は、前記送信タイミング測定信号と自基地局が保持する基準タイミングとの時間差を算出し、送信タイミング補正情報を作成し、設定する（Ｓ４０３）。前記協調基地局は、自基地局と接続を選択した他の移動局（図２５における移動局１００−３）から送信タイミング測定信号を受信した場合、各移動局に対する送信タイミング補正情報も作成する。
【０１４０】
協調基地局は、協調基地局に接続する総ての移動局に対して、各移動局からの送信タイミング測定信号と協調基地局が保持する前記基準タイミングとの時間差をＧＩ長以下になる送信タイミング補正を行うことになる。なお、協調基地局が保持する前記基準タイミングは、アンカー基地局が保持する基準タイミングと同じであることが望ましい。
【０１４１】
次に、協調基地局は前記送信タイミング補正情報を上位レイヤのインターフェースを通じてアンカー基地局に送信し（Ｓ４０４）、アンカー基地局は前記送信された送信タイミング補正情報をダウンリンクの制御信号により協調移動局に通知する（Ｓ４０５）。
【０１４２】
次に、協調移動局は、前記送信タイミング補正情報で通知を受けた送信タイミングに応じて、アンカー基地局に対して、上り回線のリソース割り当て要求（ＳＲ：Scheduling Request）を行う（Ｓ４０６）。例えば、上り回線のリソース割り当て要求はＰＵＣＣＨ（Physical Uplink Control CHannel）を通じて要求する。
【０１４３】
次に、アンカー基地局は、協調移動局に対して、上り回線のリソース割当情報をＰＤＣＣＨなどを通じて通知する（Ｓ４０７）。その際、アンカー基地局は、協調基地局に対しても、協調移動局に対するリソース割り当て情報を通知する（Ｓ４０８）。
【０１４４】
次に、協調移動局は、リソース割り当て情報に基づいて、アンカー基地局及び協調基地局にデータ信号を送信する（Ｓ４０９及びＳ４１０）。なお、データ信号を送信するリソースは、他の制御信号によりアンカー基地局及び協調基地局の他の信号と衝突しないようにスケジューリングされている。
【０１４５】
協調基地局は、受信した協調移動局のデータ信号に対して検出処理、復調処理等を行い、復調後の符号化ビットＬＬＲを得る。さらに前記復調後の符号化ビットＬＬＲに対して復号処理等を行い、復号後の符号化ビットＬＬＲを算出し、データ信号を検出する（Ｓ４１１）。
【０１４６】
次に、協調基地局は、前記復調後の符号化ビットＬＬＲうち、協調移動局のデータ信号に対する復調後の符号化ビットＬＬＲを上位レイヤのインターフェース（例えば、ＬＴＥにおけるＸ２インターフェース）を通じてアンカー基地局に送信する。さらに協調基地局は、前記復号後の符号化ビットＬＬＲうち、協調移動局のデータ信号に対する復号後の符号化ビットＬＬＲを上位レイヤのインターフェース（例えば、ＬＴＥにおけるＸ２インターフェース）を通じてアンカー基地局に送信する（Ｓ４１２）。なお、協調基地局が受信した協調移動局のデータ信号に対する復号後の符号化ビットＬＬＲをアンカー基地局で算出する場合は、Ｓ４１２において、復調後の符号化ビットの送信のみでもよい。
【０１４７】
アンカー基地局は、協調基地局から協調移動局の符号化ビットＬＬＲの送信があると、前記送信された復号後の符号化ビットＬＬＲを用いて、Ｓ４０９で受信したデータ信号に対して信号検出処理及び復号処理を行うことで協調移動局以外の移動局の復号後の符号化ビットＬＬＲを算出する（Ｓ４１３）。
【０１４８】
また、アンカー基地局は、前記協調移動局以外の移動局の復号後の符号化ビットＬＬＲを用いたＳ４０９で受信したデータ信号に対する信号検出処理により協調移動局の復調後の符号化ビットＬＬＲを算出し、さらに前記協調移動局の復調後の符号化ビットＬＬＲと、前記協調基地局から送信された協調移動局の復調後の符号化ビットＬＬＲとの合成信号を用いて、協調移動局の復号後の符号化ビットＬＬＲを算出する。
【０１４９】
上位レイヤは、上述のように算出した協調移動局及び協調移動局以外の移動局に対する符号化ビットＬＬＲから各移動局の情報データを取得する（Ｓ４１４）。なお、上述で取得した各移動局の情報データは、ダウリンクにおいて、各情報データの送信宛の移動局に送信される。
【０１５０】
図１４は第２実施形態におけるアンカー基地局の移動局から受信したデータ信号に対する受信処理に係る動作例を示すフローチャートである。
【０１５１】
まず、アンカー基地局は、自基地局と接続することを選択した複数の移動局からのデータ信号を受信する（ステップＳ５０１）。受信したデータ信号には協調移動局のデータ信号も含んでいる。
【０１５２】
次に、自基地局が受信した協調移動局のデータ信号に関する符号化ビットＬＬＲの送信が協調基地局からあるか否か判定する（ステップＳ５０２）。送信がない場合は（ステップＳ５０２；ＮＯ）、送信があるまで待機している。協調基地局から符号化ビットＬＬＲの送信がある場合は（ステップＳ５０２；ＹＥＳ）、送信された協調移動局の符号化ビットＬＬＲを用いて、アンカー基地局が受信した協調移動局のデータ信号の受信信号レプリカを生成し（ステップＳ５０３）、前記受信信号レプリカをアンカー基地局の受信信号（ステップＳ５０１で受信した信号）から除去する（ステップＳ５０４）。
【０１５３】
次に、ステップＳ５０４で協調移動局のデータ信号の受信信号レプリカを除去した信号に対してＳＣ−ＦＤＭＡ信号検出、復調、デスクランブル、デパンクチャ、復号処理を施し、協調移動局以外の移動局の復号後の符号化ビットＬＬＲを算出する（ステップＳ５０５）。
【０１５４】
そして、前記協調移動局以外の移動局の復号後の符号化ビットＬＬＲから協調移動局以外の移動局の情報データを取得する（ステップＳ５０６）。また、前記協調移動局以外の移動局の復号後の符号化ビットＬＬＲは信号検出部にフィードバックされる（ステップＳ５０７）。信号検出部はフィードバックされた復号後の符号化ビットＬＬＲを用いて、協調移動局以外の移動局から受信したデータ信号の受信信号レプリカを生成する（ステップＳ５０８）。
【０１５５】
次に、協調移動局以外の移動局から受信したデータ信号の受信信号レプリカをアンカー基地局の受信信号（ステップＳ５０１で受信した信号）から除去する（ステップＳ５０９）。そして、ステップＳ５０９で受信信号レプリカを除去した信号に対して、ＳＣ−ＦＤＭＡ信号検出、復調、デスクランブル処理を施し、アンカー基地局が協調移動局から受信したデータ信号に対する復調後の符号化ビットＬＬＲを算出する（ステップＳ５１０）。そして、ステップＳ５１０で算出した復調後の符号化ビットＬＬＲは、協調基地局から送信された協調移動局のデータ信号に対する復調後の符号化ビットＬＬＲと合成される（ステップＳ５１１）。
【０１５６】
次に、ステップＳ５１１で合成した信号に対してデパンクチャ、復号処理を行い、復号後の符号ビットＬＬＲを算出する（ステップＳ５１２）。そして、ステップＳ５１２で算出した協調移動局のデータ信号の符号化ビットＬＬＲから情報データを取得し（ステップＳ５１３）、処理が完了する。
【０１５７】
上述のステップＳ５０３〜Ｓ５０６で示したように、アンカー基地局の受信信号から協調基地局が送信した協調移動局のデータ信号の符号化ビットＬＬＲから生成した協調移動局からの受信信号レプリカを除去した後、協調移動局以外の移動局から受信したデータ信号の信号検出、復調、復号処理等を行うことにより、協調移動局以外の移動局が協調移動局から受ける協調移動局の送信タイミングのズレに起因する干渉を低減することができ、協調移動局以外の移動局からのデータ信号の復号精度の劣化を抑えることが可能になる。
【０１５８】
また、上述のステップＳ５０７〜Ｓ５１０で示したように、前記ステップＳ５０３〜Ｓ５０６で算出した復号後の符号化ビットＬＬＲから生成した協調移動局以外の移動局から受信した受信信号レプリカをアンカー基地局の受信信号から除去した後、協調移動局から受信したデータ信号の信号検出、復調処理を行うことにより、協調移動局が他の移動局から受ける協調移動局の送信タイミングのズレに起因する干渉を低減することができ、協調移動局からのデータ信号の復調精度の劣化を抑えることが可能になる。
【０１５９】
図１５は第２の実施形態における協調基地局の移動局から受信したデータ信号に対する受信処理に係る動作例を示すフローチャートである。
【０１６０】
まず、協調基地局は、自基地局と接続することを選択した複数の移動局からのデータ信号を受信すると（ステップＳ６０１）、その受信信号に対してＳＣ−ＣＤＭＡ信号検出、復調、デスクランブル処理を行い、復調後の符号化ビットＬＬＲを算出する（ステップＳ６０２）。
【０１６１】
次に、前記復調後の符号化ビットＬＬＲが協調移動局のデータ信号に対する符号化ビットＬＬＲか否かを判断する（ステップＳ６０３）。協調移動局以外の移動局のデータ信号の符号化ビットＬＬＲは（ステップＳ６０３；ＮＯ）、そのままデパンクチャ、復号処理により、復号後の符号化ビットＬＬＲを算出する（ステップＳ６０４）。そして、前記号後の符号化ビットＬＬＲから協調移動局以外の移動局の情報データを取得する（ステップＳ６０５）。
【０１６２】
一方、ステップＳ６０３において、協調移動局のデータ信号の符号化ビットＬＬＲの場合（ステップＳ６０３；ＹＥＳ）、上位レイヤのインターフェースを通じてアンカー基地局に送信される（ステップＳ６０６）。また、協調移動局のデータ信号の符号化ビットＬＬＲはデパンクチャ、復号処理され、復号後の符号化ビットＬＬＲが算出される（ステップＳ６０７）。前記協調移動局の復号後の符号化ビットＬＬＲは上位レイヤを通じて、アンカー基地局に送信される（ステップＳ６０８）。
【０１６３】
以上のように、協調移動局が同一のデータ信号を複数の基地局に送信する場合、協調移動局は、送信した複数の基地局のうち協調基地局が保持する基準タイミングに基づいて前記同一のデータを複数の基地局に送信する。協調移動局からの信号を受信した複数の基地局のうちアンカー基地局は、協調移動局を含む複数の移動局からのデータ信号を検出する際、前記協調移動局が協調基地局へ送信したデータ信号の符号化ビットＬＬＲを用いる。これにより、アンカー基地局は、各移動局のデータ信号の受信タイミングがＧＩ長を超えた場合においても、ＦＦＴの周期性の崩れに起因する特性劣化およびＦＦＴ区間の信号間の干渉（ブロック間干渉）に起因する特性劣化を軽減することができる。
【０１６４】
［３．第３実施形態］
続いて、第３実施形態について説明する。第３実施形態は、協調移動局が送信したデータを受信した複数の基地局において、ＧＩ長を超える協調移動局と超えない移動局が混在する場合を説明する。
【０１６５】
図１６は、第３実施形態のシステム全体を示す図である。以下、図１６に示す移動局１００−１が基地局２００、基地局３００及び４００に同一のデータ信号を送信する場合で説明する。なお、移動局１００−２は基地局２００のみと接続し、移動局１００−３は基地局３００のみと接続し、移動局１００−４は基地局４００のみと接続している。
【０１６６】
図１７に協調移動局（移動局１００−１）がアンカー基地局の保持する基準タイミングに基づいた送信タイミングでアンカー基地局（基地局２００）及び２つの協調基地局（基地局３００、基地局４００）にデータ信号を送信し、基地局３００及び基地局４００がＧＩ長を超えた受信タイミングで協調移動局のデータ信号を受信した場合について、全基地局に送信されたデータ信号から協調移動局の情報データを取得する動作例を示すシーケンス図である。図１７においては、各協調基地局が協調移動局からの受信タイミングがＧＩ長を超えたか否かを判断する。
【０１６７】
まず、アンカー基地局（基地局２００）は協調移動局に送信タイミングを測定する制御信号（送信タイミング測定信号。例えば、ＬＴＥにおけるランダムアクセスプリアンブル）の送信を指示する制御信号（例えば、ＬＴＥにおけるＲＡＣＨに対するPreamble Indicator）を送信する（Ｓ７００）。このとき、前記送信タイミング測定信号を送信するリソース及び前記送信タイミング測定信号のフォーマット（例えば、プリアンブル系列）を指示している。
【０１６８】
次に、協調移動局は前記送信タイミング測定信号の送信を指示する制御信号に従い、送信タイミング測定信号をＲＡＣＨを通じてアンカー基地局及び協調基地局（基地局３００及び基地局４００）に送信する（Ｓ７０１、Ｓ７０２及びＳ７０３）。
【０１６９】
なお、協調移動局は、送信タイミング測定信号を前記送信タイミング測定信号の送信を指示する制御信号の受信の有無によらず送信することも可能である。その場合は、利用可能なリソース及びフォーマットはアンカー基地局からＰＢＣＨを通じて報知されているので、それに基づいて送信タイミング測定信号を送信できる。前記送信タイミング測定信号を受信したアンカー基地局は、前記送信タイミング測定信号と自基地局が保持する基準タイミングとの時間差（送信タイミング補正値）を算出し、送信タイミング補正情報を作成する。前記アンカー基地局は、自基地局と接続を選択した他の移動局（図１６における移動局１００−２）から送信タイミング測定信号を受信した場合、各移動局に対する送信タイミング補正情報も作成する（Ｓ７０４）。
【０１７０】
アンカー基地局は、アンカー基地局として接続する総ての移動局に対して、各移動局からの送信タイミング測定信号とアンカー基地局が保持する前記基準タイミングとの時間差をＧＩ長以下になる送信タイミング補正を行うことになる。なお、アンカー基地局が保持する前記基準タイミングは、協調基地局が保持する基準タイミングと同じであることが望ましい。
【０１７１】
次に、アンカー基地局は前記送信タイミング補正情報をダウンリンクの制御信号により協調移動局に通知する（Ｓ７０５）。
【０１７２】
次に、協調移動局は、前記送信タイミング補正情報で通知を受けた送信タイミングに応じて、アンカー基地局に対して、上り回線のリソース割り当て要求（ＳＲ：Scheduling Request）を行う（Ｓ７０６）。例えば、上り回線のリソース割り当て要求はＰＵＣＣＨ（Physical Uplink Control CHannel）を通じて要求する。
【０１７３】
次に、アンカー基地局は、協調移動局に対して、上り回線のリソース割り当て情報をＰＤＣＣＨなどを通じて通知する（Ｓ７０７）。その際、アンカー基地局は、協調基地局に対しても、協調移動局に対するリソース割り当て情報を通知する（Ｓ７０８及びＳ７０９）。
【０１７４】
そして、基地局３００は、Ｓ７０８で送信された協調移動局に対するリソース割り当て情報から算出した送信タイミングと、Ｓ７０３で受信した送信タイミング測定信号を用いて測定した送信タイミング補正値とを用いて、協調移動局からの受信するデータ信号の受信タイミングがＧＩ長を超えるか否かの判定し、ＧＩ長を超える場合はアンカー基地局に協調移動局のデータ信号の検出結果の送信要求を行う（Ｓ７１０）。なお、前記データ信号の検出結果の送信要求は他の協調基地局にもすることができる。
【０１７５】
同様に、基地局４００においても、Ｓ７０９で送信された協調移動局に対するリソース割り当て情報とＳ７０３で受信した送信タイミング測定信号を用いて測定した送信タイミング補正値を用いて、受信タイミングがＧＩ長を超えるか否かの判断を行い、ＧＩ長を超える場合はアンカー基地局にデータ信号の検出結果の送信要求を行う（Ｓ７１１）。
【０１７６】
次に、協調移動局は、リソース割り当て情報に基づいて、アンカー基地局及び協調基地局にデータ信号を送信する（Ｓ７１２、７１３及びＳ７１４）。なお、データ信号を送信するリソースは、他の制御信号によりアンカー基地局及び協調基地局の他の信号と衝突しないようにスケジューリングされている。アンカー基地局は、受信した協調移動局のデータ信号に対して検出処理を行い、復号後の符号化ビットＬＬＲを得る。
【０１７７】
次に、アンカー基地局は、データ信号の検出結果として、前記復号後の符号化ビットＬＬＲを上位レイヤのインターフェース（例えば、ＬＴＥにおけるＸ２インターフェース）を通じて基地局３００及び４００に送信する（Ｓ７１５及びＳ７１６）。
【０１７８】
次に、基地局３００（基地局４００）は、Ｓ７１５（Ｓ７１６）で送信された復号後の符号化ビットＬＬＲを用いて、Ｓ７１３（Ｓ７１４）で受信したデータ信号の信号検出処理Ｓ７１７（Ｓ７１８）を行う。
【０１７９】
基地局３００（基地局４００）は、前記信号検出処理により得られるデータ信号のうち協調移動局のデータ信号の復調後の符号化ビットＬＬＲをアンカー基地局に上位レイヤのインターフェースを通じて送信する（Ｓ７１９及びＳ７２０）。前記信号検出処理により得られる他の移動局（例えば、図１６の移動局１００−３、移動局１００-４）のデータ信号の復調後の符号化ビットＬＬＲは復号処理後、上位レイヤにて判定され情報データを得る。
【０１８０】
最後に、アンカー基地局は、アンカー基地局が受信した協調移動局からのデータ信号の復調後の符号化ビットＬＬＲと協調基地局（基地局３００及び基地局４００）から送信された協調移動局のデータ信号の復調後の符号化ビットＬＬＲとを合成し（図２の合成部２０６）、前記合成された符号化ビットＬＬＲに対して復号処理（図２の復号部２０８）を行うことで復号後の符号化ビットＬＬＲを算出する。アンカー基地局は、上位レイヤにて、前記復号後の符号化ビットＬＬＲから協調移動局の情報データを取得する（Ｓ７２１）。なお、上述で取得した各移動局の情報データは、ダウリンクにおいて、各情報データの送信宛の移動局に送信される。なお、前記各基地局間で送信される復調後の符号化ビットＬＬＲの代わりに、復号後の符号化ビットＬＬＲ、あるいは符号化ビットを用いることもできる。
【０１８１】
図１８に協調移動局（移動局１００−１）がアンカー基地局の保持する基準タイミングに基づいた送信タイミングでアンカー基地局（基地局２００）及び２つの協調基地局（基地局３００、基地局４００）にデータ信号を送信し、基地局３００はＧＩ長を超えた受信タイミングで協調移動局のデータ信号を受信し、基地局４００はＧＩ長以内の受信タイミングで協調移動局のデータ信号を受信した場合について、全基地局に送信されたデータ信号から協調移動局の情報データを取得する動作例を示すシーケンス図である。図１８においても、各協調基地局が協調移動局からの受信タイミングがＧＩ長を超えたか否かを判断する場合で説明する。
【０１８２】
まず、アンカー基地局（基地局２００）は協調移動局に送信タイミングを測定する制御信号（送信タイミング測定信号。例えば、ＬＴＥにおけるランダムアクセスプリアンブル）の送信を指示する制御信号を送信する（Ｓ８００）。このとき、前記送信タイミング測定信号を送信するリソース及び前記送信タイミング測定信号のフォーマットを指示している。
【０１８３】
次に、協調移動局は前記送信タイミング測定信号の送信を指示する制御信号に従い、送信タイミング測定信号をアンカー基地局及び協調基地局（基地局３００及び基地局４００）に送信する（Ｓ８０１、Ｓ８０２及びＳ８０３）。例えば、前記送信タイミング測定信号はＲＡＣＨを通じて送信される。
【０１８４】
なお、協調移動局は、送信タイミング測定信号を前記送信タイミング測定信号の送信を指示する制御信号の受信の有無によらず送信することも可能である。その場合は、利用可能なリソース及びフォーマットはアンカー基地局からＰＢＣＨなどを通じて報知されているので、それに基づいて送信タイミング測定信号を送信できる。
【０１８５】
前記送信タイミング測定信号を受信したアンカー基地局は、前記送信タイミング測定信号と自基地局が保持する基準タイミングとの時間差（送信タイミング補正値）を算出し、送信タイミング補正情報を作成する（Ｓ８０４）。前記アンカー基地局は、自基地局と接続を選択した他の移動局（図１６における移動局１００−２）から送信タイミング測定信号を受信した場合、各移動局に対する送信タイミング補正情報も作成する。アンカー基地局は、アンカー基地局として接続する全ての移動局に対して、各移動局からの送信タイミング測定信号とアンカー基地局が保持する前記基準タイミングとの時間差をＧＩ長以下になる送信タイミング補正を行うことになる。なお、アンカー基地局が保持する前記基準タイミングは、協調基地局が保持する基準タイミングと同じであることが望ましい。
【０１８６】
次に、アンカー基地局は前記送信タイミング補正情報をダウンリンクの制御信号により協調移動局に通知する（Ｓ８０５）。
【０１８７】
次に、協調移動局は、前記送信タイミング補正情報で通知を受けた送信タイミングに応じて、アンカー基地局に対して、上り回線のリソース割り当て要求を行う（Ｓ８０６）。例えば、前記上り回線のリソース割り当て要求は、ＰＵＣＣＨを通じて行う。
【０１８８】
次に、アンカー基地局は、協調移動局に対して、上り回線のリソース割り当て情報をＰＤＣＣＨなどを通じて通知する（Ｓ８０７）。その際、アンカー基地局は、協調基地局に対しても、協調移動局に対するリソース割り当て情報を通知する（Ｓ８０８、Ｓ８０９）。そして、基地局３００は、Ｓ８０８で送信された協調移動局に対するリソース割り当て情報から算出した送信タイミングとＳ８０２で受信した送信タイミング測定信号を用いて測定した送信タイミング補正値とを用いて、協調移動局からの受信するデータ信号の受信タイミングがＧＩ長を超えるか否かの判定を行い、ＧＩ長を超える場合はアンカー基地局及び協調基地局にデータ信号の検出結果の送信要求を行う（Ｓ８１０、Ｓ８１１）。なお、協調基地局へのデータ信号の検出結果の送信要求は被協調移動局がＧＩ長を超えるか否かを考慮しなくてもよい。
【０１８９】
一方、基地局４００は、Ｓ８０９で送信された協調移動局に対するリソース割り当て情報から算出した送信タイミングとＳ８０３で受信した送信タイミング測定信号を用いて測定した送信タイミング補正値とを用いて、協調移動局からの受信するデータ信号の受信タイミングがＧＩ長を超えるか否かの判定を行い、ＧＩ長を超えないので、アンカー基地局及び協調基地局にデータ信号の検出結果の送信要求は行わない。
【０１９０】
次に、協調移動局は、リソース割り当て情報に基づいて、アンカー基地局及び協調基地局にデータ信号を送信する（Ｓ８１２、８１３及びＳ８１４）。なお、データ信号を送信するリソースは、他の制御信号によりアンカー基地局及び協調基地局の他の信号と衝突しないようにスケジューリングされている。アンカー基地局及び基地局４００は、受信した協調移動局のデータ信号に対して検出処理を行い（Ｓ８１５及びＳ８１６）、復号後の符号化ビットＬＬＲを得る。また、基地局４００は協調移動局のデータ信号の復調後の符号化ビットＬＬＲを上位レイヤのインターフェース（例えば、ＬＴＥにおけるＸ２インターフェース）を通じてアンカー基地局に送信する（Ｓ８１９）。
【０１９１】
次に、アンカー基地局及びＧＩ長を超えないタイミングで協調移動局のデータ信号を受信した協調基地局（基地局４００）は、前記復号後の符号化ビットＬＬＲを上位レイヤのインターフェースを通じて基地局３００に送信する（Ｓ８１７及びＳ８１８）。
【０１９２】
次に、基地局３００は、Ｓ８１７及びＳ８１８で送信された復号後の符号化ビットＬＬＲを用いて、Ｓ８１３で受信したデータ信号の信号検出処理を行う（Ｓ８２０）。基地局３００は、前記信号検出処理により得られるデータ信号のうち協調移動局のデータ信号の復調後の符号化ビットＬＬＲをアンカー基地局に上位レイヤのインターフェースを通じて送信する（Ｓ８２１）。前記信号検出処理により得られる他の移動局（例えば、図１６の移動局１００−３）のデータ信号の符号化ビットＬＬＲは上位レイヤにて判定され情報データを得る（Ｓ８２２）。
【０１９３】
最後に、アンカー基地局は、アンカー基地局が受信した協調移動局からのデータ信号の復調後の符号化ビットＬＬＲと協調基地局（基地局３００及び基地局４００）から送信された協調移動局のデータ信号の復調後の符号化ビットＬＬＲとを合成し（図２の合成部２０６）、前記合成された符号化ビットＬＬＲに対して復号処理（図２の復号部２０８）を行うことで復号後の符号化ビットＬＬＲを算出する。アンカー基地局は、上位レイヤにて、前記復号後の符号化ビットＬＬＲから協調移動局の情報データを取得する（Ｓ８２２）。なお、上述で取得した各移動局の情報データは、ダウリンクにおいて、各情報データの送信宛の移動局に送信される。
【０１９４】
なお、上述では、ＧＩ長を超えるタイミングでの受信となるか否かの判断を、協調移動局に対するリソース割り当て情報から算出した送信タイミングと送信タイミング測定信号を用いて測定した送信タイミング補正値とを用いて行っているが、ＧＩ長を超えるタイミングでの受信となるか否かの判断ができればこれに限らない。例えば、アンカー基地局及び協調基地局、協調移動局がＧＰＳ（Global Positioning System）などから取得した各々の位置情報を交換し、各移動局が位置情報をもとに算出した協調移動局からの受信タイミングのずれにより判断することもできる。図１７、１８で示したように、協調基地局が協調移動局からのデータ信号がＧＩ長を超えるタイミングでの受信となるか否かを判断し、ＧＩ長を超える場合には、ＧＩ長を超えない受信タイミングで協調移動局からのデータ信号を受信した他の基地局の復号後の符号化ビットＬＬＲを用いて、協調移動局のデータ信号の検出処理を行う。
【０１９５】
第３実施形態における協調移動局の構成は、第１実施形態による図１の移動局１００と同様である。第３実施形態におけるアンカー基地局の構成は、第１実施形態による図２のアンカー基地局２００と同様である。
【０１９６】
図１９は第３の実施形態における協調基地局（基地局３００、基地局４００）の構成を示す概略ブロック図である。協調基地局は、受信アンテナ部２０１、無線部２０２、信号検出部６０３、デスクランブル部３０５、デパンクチャ部２０７、復号部２０８、上位レイヤ６０９、伝搬路推定部２１０及び制御部６０１を備えて構成されている。本実施形態の協調基地局は、信号検出部３０３に替えて信号検出部６０３を備え、上位レイヤ３０９に替えて上位レイヤ６０９を備え、さらに制御部６０１が追加されていることが第１実施形態における基地局３００と異なる。基地局３００の同一符号を付した部位は、第１実施形態で示した機能と同様であり、以下では異なる部位を中心に説明する。
【０１９７】
上位レイヤ６０９は、復号部２０８が出力する復号後の符号化ビットＬＬＲから自局宛の移動局の情報データを取得する。また、協調移動局から送信された送信タイミング測定信号、及びアンカー基地局から送信された上り回線のリソース割り当て情報を制御部６０１に通知する。
【０１９８】
また、上位レイヤ６０９は、復号部２０８が出力する協調移動局の復号後の符号化ビットＬＬＲをアンカー基地局または／及び協調基地局に送信する。また、上位レイヤ６０９は、デスクランブル部３０５が出力する協調移動局のデータ信号に対する復調後の符号化ビットＬＬＲをアンカー基地局に送信する。
【０１９９】
制御部６０１は、送信タイミング測定信号を用いて協調移動局のデータ信号の受信タイミングと自局の基準タイミングとのタイミングずれ（自局に対する送信タイミング補正値）を測定する。また、上り回線のリソース割り当て情報から、アンカー基地局の送信タイミングで送信される協調移動局の送信タイミング（実際の送信タイミング）を得る。そして、前記タイミングずれと実際の送信タイミングの時間差から協調移動局がＧＩ長を超えるタイミングでの受信となるか否かを判断し、その判断結果を信号検出部６０３に通知する。
【０２００】
信号検出部６０３は、図５の３０３と同様の構成を備えるが、制御部６０１からの通知される判断結果に基づいて、干渉除去部３３２が、レプリカ生成部３３１で生成した受信信号レプリカの減算を実行することが信号検出部３０３と異なる。つまり、干渉除去部３３２は、制御部６０１から協調移動局がＧＩ長を超えるタイミングでの受信となる旨の通知がある場合、受信信号レプリカの減算を実行する。
【０２０１】
第３実施形態におけるアンカー基地局の移動局から受信したデータ信号に対する受信処理に係る動作例を図２０のフローチャートで示す。
【０２０２】
まず、アンカー基地局は、自基地局と接続することを選択した複数の移動局からのデータ信号を受信する（ステップＳ９０１）。受信したデータ信号には協調移動局のデータ信号も含んでいる。アンカー基地局は、受信したデータ信号に対してＳＣ−ＦＤＭＡ信号検出、復調、デスクランブル処理を行い、復調後の符号化ビットＬＬＲを算出する（ステップＳ９０２）。
【０２０３】
次に、前記復調後の符号化ビットＬＬＲのうち、協調移動局以外の移動局のデータ信号の符号化ビットＬＬＲは（ステップＳ９０３；ＮＯ）、デパンクチャ、復号処理され、復号後の符号化ビットＬＬＲを算出し（ステップＳ９０４）、前記復号後の符号化ビットＬＬＲから各移動局の情報データを取得する（ステップＳ９０５）。
【０２０４】
他方、前記復調後の符号化ビットＬＬＲのうち協調移動局のデータ信号の符号化ビットＬＬＲは（ステップＳ９０３；ＹＥＳ）、協調移動局のデータ信号の復調後の符号化ビットＬＬＲを記憶部に記憶し、さらに前記復調後の符号化ビットＬＬＲに対してデパンクチャ、復号処理を行う（ステップＳ９０６）。
【０２０５】
次に、他の基地局から協調移動局の復号後の符号化ビットＬＬＲの送信要求がある場合（ステップＳ９０７；ＹＥＳ）、ステップＳ９０６で算出した協調移動局のデータ信号の復号後の符号化ビットＬＬＲを協調基地局に送信する（ステップＳ９０８）。送信要求がない場合（ステップＳ９０７；ＮＯ）、協調基地局から協調移動局のデータ信号の復調後の符号化ビットＬＬＲの送信を待機する。
【０２０６】
次に、アンカー基地局は、協調基地局から、協調基地局が受信した協調移動局のデータ信号の符号化ビットＬＬＲの送信があるか否かをみる（ステップＳ９０９）。送信がない場合は（ステップＳ９０９；ＮＯ）、送信を待機する。送信がある場合は（ステップＳ９０９；ＹＥＳ）、送信された協調基地局が受信した協調移動局のデータ信号の復調後の符号化ビットＬＬＲとアンカー基地局が受信した該協調移動局のデータ信号の復調後の符号化ビットＬＬＲ（符号化ビットＬＬＲ記憶部に記憶している該符号化ビットＬＬＲ）とを合成する（ステップＳ９１０）。そして、合成した協調移動局のデータ信号の符号化ビットＬＬＲに対してデパンクチャ、復号処理を行い、協調移動局の復号後の符号化ビットＬＬＲを算出する（ステップＳ９０４）。最後に、前記協調移動局の復号後の符号化ビットＬＬＲを硬判定して協調移動局の情報データを取得する（ステップＳ９０５）。
【０２０７】
図２１及び２２は第３の実施形態における協調基地局における移動局から受信したデータ信号に対する受信処理に係る動作例を示すフローチャートである。
【０２０８】
まず、協調基地局は、自基地局と接続することを選択した複数の移動局からのデータ信号を受信する（図２１のステップＳ１００１）。受信したデータ信号には協調移動局のデータ信号も含んでいる。
【０２０９】
次に、協調基地局は、協調移動局から送信された送信タイミング測定信号とアンカー基地局から送信された協調移動局の上り回線のリソース割り当て情報から、自局が協調移動局のデータ信号を受信するタイミングがＧＩ長を超えるタイミングか否かを判断する（ステップＳ１００２）。
【０２１０】
協調移動局のデータ信号の受信タイミングがＧＩ長を超えない場合（ステップＳ１００２；ＮＯ）、ステップＳ１００１で受信したデータ信号に対して、ＳＣ−ＦＤＭＡ信号検出、復調、デスクランブル処理が行い、復調後の符号化ビットＬＬＲを算出し（ステップＳ１００３）、前記算出した復調後の符号化ビットＬＬＲのうち、協調移動局のデータ信号に係る符号化ビットをアンカー基地局に送信する（ステップＳ１００４）。
【０２１１】
また、ステップＳ１００３で算出した復調後の符号化ビットＬＬＲに対してデスクランブル、デパンクチャ、復号処理を行い、復号後の符号化ビットを算出する（ステップＳ１００５）。前記算出した符号化ビットは、他の移動局から協調移動局のデータ信号の符号化ビットＬＬＲの送信要求があった場合（ステップＳ１００６；ＹＥＳ）、要求元の移動局に、ステップＳ１００５で算出した協調移動局のデータ信号に対する復号後の符号化ビットＬＬＲを送信する（ステップＳ１００７）。そして、前記復号後の符号化ビットＬＬＲから協調移動局以外の各移動局の情報データを取得する（ステップＳ１００８）。
【０２１２】
一方、協調移動局のデータ信号の受信タイミングがＧＩ長を超える場合（ステップＳ１００２；ＹＥＳ）、他の基地局に復号後の符号化ビットＬＬＲの送信を要求し（図２２のステップＳ１００９）、送信されるのを待機する（ステップＳ１０１０）。送信を要求する基地局はアンカー基地局及び協調基地局によらず要求することができる。
【０２１３】
次に、協調基地局は、他の基地局から協調移動局のデータ信号に対する符号化ビットＬＬＲが送信されると（ステップＳ１０１０；ＹＥＳ）、送信された符号化ビットＬＬＲを用いて、協調基地局が受信した協調移動局のデータ信号の受信信号レプリカを生成し（ステップＳ１０１１）、前記受信信号レプリカを協調基地局の受信信号（ステップＳ１００１で受信した信号）から除去する（ステップＳ１０１２）。
【０２１４】
そして、ステップＳ１０１２で協調移動局のデータ信号の受信信号レプリカを除去した信号に対してＳＣ−ＦＤＭＡ信号検出、復調、デスクランブル、デパンクチャ、復号処理を施し、移動局の復号後の符号化ビットＬＬＲを算出する（ステップＳ１０１３）。上位レイヤは前記復号後の符号化ビットＬＬＲを硬判定することで情報データを取得する（ステップＳ１０１４）。また、協調基地局に他の基地局から協調移動局に対する復号後の符号化ビットＬＬＲの送信要求があった場合、ステップＳ１０１３で算出した協調移動局のデータ信号に対する復号後の符号化ビットＬＬＲを送信することができる。
【０２１５】
また、ステップＳ１０１３で算出した協調移動局以外の移動局のデータ信号に対する復号後の符号化ビットＬＬＲは、信号検出部にフィードバックされる（ステップＳ１０１５）。信号検出部はフィードバックされた復号後の符号化ビットＬＬＲを用いて、協調移動局以外の移動局から受信したデータ信号の受信信号レプリカを生成する（ステップＳ１０１６）。
【０２１６】
次に、ステップＳ１０１６で生成した受信信号レプリカを協調基地局の受信信号（ステップＳ１００１で受信した信号）から除去する（ステップＳ１０１７）。そして、ステップＳ１０１７で受信信号レプリカを除去した信号に対して、ＳＣ−ＦＤＭＡ信号検出、復調、デスクランブル処理を施し、協調基地局が協調移動局から受信したデータ信号に対する復調後の符号化ビットＬＬＲを算出する（ステップＳ１０１８）。ステップＳ１０１８で算出した復調後の符号化ビットＬＬＲはアンカー基地局に送信し（ステップＳ１０１９）、処理が完了する。
【０２１７】
さらに、協調基地局に他の基地局から協調移動局に対する復号後の符号化ビットＬＬＲの送信要求があった場合、ステップＳ１０１９で算出した協調移動局のデータ信号に対する復調後の符号化ビットＬＬＲに対して復号処理を行い、前記復号後の符号化ビットＬＬＲを送信することができる。
【０２１８】
図１７、図１８では、各協調基地局が協調移動局からの受信タイミングがＧＩ長を超えたか否かを判断する場合で説明したが、アンカー基地局が行うこともできる。
【０２１９】
図２３は、協調移動局（移動局１００−１）がアンカー基地局の保持する基準タイミングに基づいた送信タイミングでアンカー基地局（基地局２００）及び２つの協調基地局（基地局３００、基地局４００）にデータ信号を送信し、基地局３００及び基地局４００がＧＩ長を超えた受信タイミングで協調移動局のデータ信号を受信した場合おいて、基地局が受信した協調移動局のデータ信号がＧＩ長を超えるか否かの判断をアンカー基地局が行う場合のシーケンス図である。
【０２２０】
まず、アンカー基地局（基地局２００）は協調移動局に送信タイミングを測定する制御信号（送信タイミング測定信号）の送信を指示する制御信号を送信する（ステップＳ７５１）。このとき、前記送信タイミング測定信号を送信するリソース及び前記送信タイミング測定信号のフォーマットを指示している。
【０２２１】
次に、協調移動局は前記送信タイミング測定信号の送信を指示する制御信号に従い、送信タイミング測定信号をアンカー基地局及び協調基地局（基地局３００及び基地局４００）に送信する（ステップＳ７５２、Ｓ７５３及びＳ７５４）。例えば、前記送信タイミング測定信号は、ＲＡＣＨを通じて送信する。
【０２２２】
前記送信タイミング測定信号を受信した協調基地局は、前記送信タイミング測定信号と自基地局が保持する基準タイミングとの時間差（送信タイミング補正値）を算出し（ステップＳ７５５及びＳ７５６）、上位レイヤを通じてアンカー基地局に送信する（Ｓ７５７及びＳ７５８）。
【０２２３】
また、前記送信タイミング測定信号を受信したアンカー基地局は、前記送信タイミング測定信号と自基地局が保持する基準タイミングとの時間差を算出し、送信タイミング補正情報を作成する（ステップＳ７５９）。アンカー基地局は、アンカー基地局として接続する総ての移動局に対して、各移動局からの送信タイミング測定信号とアンカー基地局が保持する前記基準タイミングとの時間差をＧＩ長以下になる送信タイミング補正を行うことになる。また、アンカー基地局は、送信タイミング補正情報と前記協調基地局から送信された基準タイミングとの時間差（送信タイミング補正値）とから、各協調基地局が受信する協調移動局のデータ信号の受信タイミングがＧＩ長を超えるか否かを判断し、タイミング誤差情報を作成する。なお、タイミング誤差情報は、受信タイミングがＧＩ長を超えるか否かを記載した情報でもよいし、タイミング誤差を示した情報でもよい。
【０２２４】
次に、アンカー基地局は前記送信タイミング補正情報をダウンリンクの制御信号により協調移動局に通知する（ステップＳ７６０）。そして、協調移動局は、前記送信タイミング補正情報で通知を受けた送信タイミングに応じて、アンカー基地局に対して、上り回線のリソース割り当て要求（ＳＲ：Scheduling Request）を行う（ステップＳ７６１）。例えば、前記上り回線のリソース割り当て要求はＰＵＣＣＨを通じて行う。
【０２２５】
次に、アンカー基地局は、協調移動局に対して、上り回線のリソース割り当て情報をＰＤＣＣＨなどを通じて通知する（ステップＳ７６２）。さらに、アンカー基地局は、協調基地局に対して、協調移動局に対するリソース割り当て情報及び前記タイミング誤差情報を上位レイヤを通じて通知する（ステップＳ７６３及びＳ７６４）。
【０２２６】
次に、協調移動局は、リソース割り当て情報に基づいて、アンカー基地局及び協調基地局にデータ信号を送信する（ステップＳ７６５、７６６及びＳ７６７）。なお、データ信号を送信するリソースは、他の制御信号によりアンカー基地局及び協調基地局の他の信号と衝突しないようにスケジューリングされている。アンカー基地局は、受信した協調移動局のデータ信号に対して検出処理を行い（ステップＳ７６８）、復号後の符号化ビットＬＬＲを得る。
【０２２７】
次に、アンカー基地局は、前記復号後の符号化ビットＬＬＲを上位レイヤのインターフェースを通じて基地局３００及び４００に送信する（ステップＳ７６９及びＳ７７０）。
【０２２８】
次に、基地局３００（基地局４００）は、ステップＳ７６９（Ｓ７７０）で送信された復号後の符号化ビットＬＬＲを用いて、Ｓ７６３（Ｓ７６４）で受信したデータ信号の信号検出処理を行う（ステップ７７１、Ｓ７７２）。
【０２２９】
基地局３００（基地局４００）は、前記信号検出処理により得られるデータ信号のうち協調移動局のデータ信号の復調後の符号化ビットＬＬＲをアンカー基地局に上位レイヤのインターフェースを通じて送信する（ステップＳ７７３及びＳ７７４）。前記信号検出処理により得られる他の移動局（例えば、図１６の移動局１００−３、移動局１００-４）のデータ信号の復号後の符号化ビットＬＬＲは上位レイヤにて判定され情報データを得る。
【０２３０】
最後に、アンカー基地局は、アンカー基地局が受信した協調移動局からのデータ信号の復調後の符号化ビットＬＬＲと協調基地局（基地局３００及び基地局４００）から送信された協調移動局のデータ信号の復調後の符号化ビットＬＬＲとを合成し、前記合成された符号化ビットＬＬＲに対して復号処理を行うことで協調移動局のデータ信号に対する復号後の符号化ビットＬＬＲを算出する。アンカー基地局は、上位レイヤにて、前記復号後の符号化ビットＬＬＲから協調移動局の情報データを取得する（ステップＳ７７５）。なお、上述で取得した各移動局の情報データは、ダウリンクにおいて、各情報データの送信宛の移動局に送信される。なお、前記各基地局間で送信される復調後の符号化ビットＬＬＲの代わりに、復号後の符号化ビットＬＬＲ、あるいは符号化ビットを用いることもできる。
【０２３１】
なお、図２３では、アンカー基地局はタイミング誤差情報をリソース割り当て情報とともに通知しているが（ステップＳ７６３、Ｓ７６４）、通知できればこれに限らない。例えば、データ信号の検出結果の送信（ステップＳ７６９、Ｓ７７０）とともに通知してもよい。
【０２３２】
なお、図２３は、図１８で示した協調移動局からのデータ信号がＧＩ長を超えるタイミングでの受信する協調基地局とＧＩ長を超えないタイミングでの受信する協調基地局とが混在する場合にも適用できる。
【０２３３】
なお、アンカー基地局が協調移動局からの受信タイミングがＧＩ長を超えたか否かを判断する場合、図２のアンカー基地局２００は、図１９の制御部６０１をアンカー基地局が具備することになる。すなわち、アンカー基地局に具備された制御部６０１は、上位レイヤを通じて送信された協調基地局の送信タイミング補正値とアンカー基地局自身が算出した送信タイミング補正値とを用いて、各協調基地局が受信する協調移動局のデータ信号がＧＩ長を超える受信となるか否かを示した制御情報（タイミング誤差情報）を制御信号生成部２１３に入力することになる。
なお、協調移動局の各基地局に対するタイミングのずれに基づいて、協調通信を行う基地局を選択してもよい。例えば、本発明を適用することで特性を改善することができる基地局を選択し協調通信を行い、それ以外の基地局とは協調通信を行わないことを選択できる。また、それに応じて、協調移動局の送信電力を制御してもよい。
【０２３４】
また、協調移動局は、アンカー基地局および協調基地局に対して同時に送信タイミング測定信号を送信する方法以外にも、異なるタイミングで送信することもできる。いずれの場合も、アンカー基地局は、協調基地局に対して、協調移動局が送信する送信タイミング測定信号のリソースやフォーマットを予め通知しておくことが好ましい。異なるタイミングで送信する場合、送信タイミング測定信号のリソースやフォーマットはそれぞれ異なってもよい。また、アンカー基地局から通知される送信タイミング補正情報に基づいて、送信タイミングを補正した後、各協調基地局に同時または異なるタイミングで送信タイミング測定信号を送信してもよい。また、協調移動局が、ＧＰＳ（Global Positioning System）や各基地局が送信する位置測定用の参照信号から取得した位置情報をアンカー基地局に送信することでも実現できる。また、協調移動局が各基地局から送信される同期信号等から協調移動局における受信タイミングの差を測定し、その情報をアンカー基地局に送信することでも実現できる。
【０２３５】
以上のように、第３実施形態は、協調移動局が送信したデータを受信した複数の協調基地局において、ＧＩ長を超える協調基地局と超えない協調基地局が混在する場合、ＧＩ長を超える協調基地局は、ＧＩ長を超えない基地局（アンカー基地局も含む）に協調移動局のデータ信号に対する復号結果を要求し、要求により送信された復号結果を用いて、自基地局が受信したデータ信号の信号検出処理、復調処理を行う。また、ＧＩ長を超える協調基地局は、ＧＩ長を超える他の協調基地局が算出した復号後の符号化ビットＬＬＲであって、他の基地局の復号結果を用いた信号検出により算出した復号化ビットＬＬＲを用いて、自基地局が受信したデータ信号の復調処理を行うこともできる。
【０２３６】
よって、ＧＩ長を超える協調移動局は、協調移動局が各基地局に送信したデータ信号のうち、精度のよいデータ信号の復号結果を用いて信号検出処理をすることができるので、ＦＦＴの周期性の崩れに起因する干渉およびＦＦＴ区間の信号間の干渉（ブロック間干渉）の影響が小さく、高精度な検出が可能となる。そして、結果として、協調移動局が送信した複数の基地局の中に受信タイミングがＧＩ長を超える基地局が存在する場合においても、高精度な協調移動局の情報データを取得することができる。
【０２３７】
なお、本実施形態では、協調移動局の送信タイミングがアンカー基地局の基準タイミングにより設定する場合で説明したが、第２実施形態で示した協調移動局の基準タイミングにより設定することもできる。
【０２３８】
なお、第１実施形態〜第３実施形態では、ＳＣ−ＦＤＭＡ伝送を用いた場合で説明するが、本発明はこれに限らない。例えば、ＯＦＤＭ、ＯＦＤＭＡ（Orthogonal Frequency Division Multiple Access）、ＭＣ−ＣＤＭＡ（Multi Carrier - Code Division Multiple Access）、等のＧＩ（Guard Interval：ガードインターバル）を付加する伝送方式に適用することも可能である。
【０２３９】
なお、第１実施形態〜第３実施形態において、自局が受信したデータ信号のみで信号検出を行う基地局を第１の基地局、他基地局のデータ信号の検出結果を用いて、自局が受信したデータ信号の信号検出を行う基地局を第２の基地局とする。すなわち、第１の実施形態ではアンカー基地局（第１の実施形態の基地局２００）が第１の基地局、協調基地局（第１の実施形態の基地局３００）が第２の基地局に該当し、第２の実施形態ではアンカー基地局（第２の実施形態の基地局２００）が第２の基地局、協調基地局（第２の実施形態の基地局３００）が第１の基地局に該当し、第３の実施形態では、アンカー基地局（第３の実施形態の基地局２００）が第１の基地局、協調基地局（第３の実施形態の基地局３００、４００）が第２の基地局に該当する。
【符号の説明】
【０２４０】
１００  移動局
１０１  上位レイヤ
１０２  符号部
１０３  パンクチャ部
１０４  スクランブル部
１０５  変調部
１０６  ＤＦＴ部
１０７  マッピング部
１０８  ＩＦＦＴ部
１０９  ＧＩ挿入部
１１０、１１４  無線部
１１１  送信アンテナ部
１１２  参照信号生成部
１１３  制御信号検出部
１１５  受信アンテナ部
２００  基地局
２０１  受信アンテナ部
２０２  無線部
２０３  信号検出部
２０４  復調部
２０５  デスクランブル部
２０６  合成部
２０７  デパンクチャ部
２０８  復号部
２０９  上位レイヤ
２１１  送信アンテナ部
２１２  無線部
２１３  制御信号生成部
２１４  記憶部
２３１  ＧＩ除去部
２３２  ＦＦＴ部
２３３  フィルタ部
２３４  ＩＤＦＴ部
３００  基地局
３０３  信号検出部
３０５  デスクランブル部
３０９  上位レイヤ
３３１  レプリカ生成部
３３２  干渉除去部
４００  基地局
４０３  信号検出部
４０６  合成部
４０８  復号部
４１１  記憶部
４１４  符号化ビットＬＬＲ記憶部
５０９  上位レイヤ
６０１  制御部
６０３  信号検出部
６０９  上位レイヤ
【図１】
0005601803.tif 000002
【図２】
0005601803.tif 000003
【図３】
0005601803.tif 000004
【図４】
0005601803.tif 000005
【図５】
0005601803.tif 000006
【図６】
0005601803.tif 000007
【図７】
0005601803.tif 000008
【図８】
0005601803.tif 000009
【図９】
0005601803.tif 000010
【図１０】
0005601803.tif 000011
【図１１】
0005601803.tif 000012
【図１２】
0005601803.tif 000013
【図１３】
0005601803.tif 000014
【図１４】
0005601803.tif 000015
【図１５】
0005601803.tif 000016
【図１６】
0005601803.tif 000017
【図１７】
0005601803.tif 000018
【図１８】
0005601803.tif 000019
【図１９】
0005601803.tif 000020
【図２０】
0005601803.tif 000021
【図２１】
0005601803.tif 000022
【図２２】
0005601803.tif 000023
【図２３】
0005601803.tif 000024
【図２４】
0005601803.tif 000025
【図２５】
0005601803.tif 000026